(57)【特許請求の範囲】
【請求項１】
運転モードを電力を消費して所定の機能を発揮できる機能モード、又は電力をほとんど若しくは全く消費しない待機モードのうちのどちらか一方にすることをできる負荷機器本体と該負荷機器本体に対応し起動ＯＫ信号を受信するときに対応する負荷機器本体の運転モードを該機能モードにすることを許可し、起動ＮＧ信号を受信するときに対応する該負荷機器本体の運転モードを該待機モードにすることを要求する負荷コントロールユニットとを各々に備え各々の最大消費電力値が運転モードが前記機能モードであるときに消費する各々の最大の電力値である単数または複数の負荷機器に各々に電力を給電できる電源機器であって、
単数または複数の負荷機器に各々に電力を給電できる電源回路と、
通信手段と、
負荷コントロールユニットと通信手段を介して通信可能な電源コントロールユニットと、
を備え、
前記電源コントロールユニットが、
複数の負荷機器に優先順位をつけ、
複数の負荷機器のうちの全部または一部の単数または複数の負荷機器である単数または複数の特定負荷機器の一群に対応して単数または複数の特定負荷機器に同時に給電できる最大の電力量である最大許容電力値に対応する最大許容値を設定し、
通信手段を介して単数又は複数の前記特定負荷機器に各々に対応する単数又は複数の負荷コントロールユニットである単数又は複数の特定負荷コントロールユニットから前記特定負荷コントロールユニットの前記負荷機器の最大消費電力値に対応する最大消費値を各々に受信し、複数の最大消費電力値の各々の最大消費電力値を優先順位の順に加算し、加算して得た合計値が前記最大許容電力値より小さいときに加算した単数または複数の前記最大消費電力値を送信した単数または複数の前記特定負荷コントロールユニットに起動ＯＫ信号を送信し、加算して得た合計値が最大許容電力値より大きくなったときに最後に加算した前記最大消費電力値を送信した前記特定負荷コントロールユニットと加算しなかった前記最大消費電力値を送信した単数または複数の前記特定負荷コントロールユニットとに起動ＮＧ信号を送信する、
前記電源回路が主幹ブレーカと該主幹ブレーカの下流に直接に設けられた単数または複数の分岐ブレーカとを有し、
前記電源コントロールユニットが、単数または複数の分岐ブレーカのうちの特定の１つの分岐ブレーカである特定分岐ブレーカの下流に接続された単数又は複数の負荷機器である単数又は複数の特定負荷機器の一群に対応して、前記特定分岐ブレーカの定格電力値、または前記主幹ブレーカの定格電力値から前記主幹ブレーカに現に流れる電力値を差し引いて得た電力値に前記特定分岐ブレーカに現に流れる電力値を加算して得た電力値のうちの小さい方の電力値を前記最大許容電力値として設定する、
前記特定分岐ブレーカの定格電力を前記最大許容電力値の初期値とし、前記電源コントロールユニットが、単数又は複数の前記特定負荷機器の一群に対応して逐次に計算して得た前記小さい方の電力値を前記最大許容電力値として逐次に設定する、
ことを特徴とする電源機器。
【請求項２】
運転モードを電力を消費して所定の機能を発揮できる機能モード、又は電力をほとんど若しくは全く消費しない待機モードのうちのどちらか一方にすることをできる負荷機器本体と該負荷機器本体に対応し起動ＯＫ信号を受信するときに対応する負荷機器本体の運転モードを該機能モードにすることを許可し、起動ＮＧ信号を受信するときに対応する該負荷機器本体の運転モードを該待機モードにすることを要求する負荷コントロールユニットとを各々に備え各々の最大消費電力値が運転モードが前記機能モードであるときに消費する各々の最大の電力値である単数または複数の負荷機器に各々に電力を給電できる電源機器であって、
単数または複数の負荷機器に各々に電力を給電できる電源回路と、
通信手段と、
負荷コントロールユニットと通信手段を介して通信可能な電源コントロールユニットと、
を備え、
前記電源コントロールユニットが、
複数の負荷機器に優先順位をつけ、
複数の負荷機器のうちの全部または一部の単数または複数の負荷機器である単数または複数の特定負荷機器の一群に対応して単数または複数の特定負荷機器に同時に給電できる最大の電力量である最大許容電力値に対応する最大許容値を設定し、
通信手段を介して単数又は複数の前記特定負荷機器に各々に対応する単数又は複数の負荷コントロールユニットである単数又は複数の特定負荷コントロールユニットから前記特定負荷コントロールユニットの前記負荷機器の最大消費電力値に対応する最大消費値を各々に受信し、複数の最大消費電力値の各々の最大消費電力値を優先順位の順に加算し、加算して得た合計値が前記最大許容電力値より小さいときに加算した単数または複数の前記最大消費電力値を送信した単数または複数の前記特定負荷コントロールユニットに起動ＯＫ信号を送信し、加算して得た合計値が最大許容電力値より大きくなったときに最後に加算した前記最大消費電力値を送信した前記特定負荷コントロールユニットと加算しなかった前記最大消費電力値を送信した単数または複数の前記特定負荷コントロールユニットとに起動ＮＧ信号を送信する、
前記電源回路が主幹ブレーカと該主幹ブレーカの下流に直接設けられた単数又は複数の分岐ブレーカと単数又は複数の該分岐ブレーカのうちの特定の一つの該分岐ブレーカである特定分岐ブレーカの下流に直接に設けられた単数又は複数の下位分岐ブレーカを有し、
前記電源コントロールユニットが、単数又は複数の前記下位分岐ブレーカのうちの特定の一つの前記下位分岐ブレーカである特定下位分岐ブレーカの下流に接続された単数または複数の負荷機器である単数または複数の特定下位負荷機器の一群に対応して、前記特定下位分岐ブレーカの上流に設けられた前記分岐ブレーカの定格電力値から前記特定下位分岐ブレーカの上流に設けられた前記分岐ブレーカの下流に直接に接続され起動ＯＫ信号を送信した単数又は複数の負荷機器に各々に対応して設定された単数又は複数の最大消費電力値の総合計値を差し引いて得た電力値に前記特定下位分岐ブレーカに現に流れる電力値を加算して得た電力値と前記特定下位分岐ブレーカの定格電力値とのうちの少ない方の電力値を前記最大許容電力値である下位最大許容電力量として設定する、
前記特定下位分岐ブレーカの定格電力を前記下位最大許容電力量の初期値とし、前記電源コントロールユニットが、単数または複数の前記特定下位負荷機器の一群に対応して逐次に計算して得た前記少ない方の電力値を前記下位最大許容電力量として逐次に設定する、
ことを特徴とする電源機器。
【請求項３】
前記電源コントロールユニットが前記主幹ブレーカに対応する主幹コントロールユニットと単数または複数の分岐ブレーカに各々に対応する単数または複数の分岐コントロールユニットとを有し、
前記主幹コントロールユニットが単数または複数の特定負荷機器の一群に対して前記最大許容電力値を設定し、
単数または複数の前記分岐コントロールユニットが対応する単数または複数の前記分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する、
ことを特徴とする請求項１に記載の電源機器。
【請求項４】
前記電源コントロールユニットが前記主幹ブレーカに対応する主幹コントロールユニットと単数または複数の分岐ブレーカに各々に対応する単数または複数の分岐コントロールユニットと単数又は複数の下位分岐ブレーカに対応する単数又は複数の下位分岐コントロールユニットを有し、
前記主幹コントロールユニットが単数または複数の特定負荷機器の一群に対して前記最大許容電力値を設定し、
前記分岐コントロールユニットが単数または複数の前記特定下位負荷機器の一群に対して同時に給電できる最大の電力値である前記下位最大許容電力量を設定し、
単数または複数の前記分岐コントロールユニットが対応する単数または複数の前記分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する、
単数又は複数の前記下位分岐コントロールユニットが対応する単数または複数の前記下位分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する、
ことを特徴とする請求項２に記載の電源機器。
【請求項５】
運転モードを電力を消費して所定の機能を発揮できる機能モード、又は電力をほとんど若しくは全く消費しない待機モードのうちのどちらか一方にすることをできる負荷機器本体と該負荷機器本体に対応し起動ＯＫ信号を受信するときに対応する負荷機器本体の運転モードを該機能モードにすることを許可し、起動ＮＧ信号を受信するときに対応する該負荷機器本体の運転モードを該待機モードにすることを要求する負荷コントロールユニットとを各々に備え各々の最大消費電力値が運転モードが前記機能モードであるときに消費する各々の最大の電力値である単数または複数の負荷機器に各々に電力を給電できる電源機器であって、
単数または複数の負荷機器に各々に電力を給電できる電源回路と、
通信手段と、
負荷コントロールユニットと通信手段を介して通信可能な電源コントロールユニットと、
を備え、
前記電源コントロールユニットが、
複数の負荷機器に優先順位をつけ、
複数の負荷機器のうちの全部または一部の単数または複数の負荷機器である単数または複数の特定負荷機器の一群に対応して単数または複数の特定負荷機器に同時に給電できる最大の電力量である最大許容電力値に対応する最大許容値を設定し、
通信手段を介して単数又は複数の前記特定負荷機器に各々に対応する単数又は複数の負荷コントロールユニットである単数又は複数の特定負荷コントロールユニットから前記特定負荷コントロールユニットの前記負荷機器の最大消費電力値に対応する最大消費値を各々に受信し、複数の最大消費電力値の各々の最大消費電力値を優先順位の順に加算し、加算して得た合計値が前記最大許容電力値より小さいときに加算した単数または複数の前記最大消費電力値を送信した単数または複数の前記特定負荷コントロールユニットに起動ＯＫ信号を送信し、加算して得た合計値が最大許容電力値より大きくなったときに最後に加算した前記最大消費電力値を送信した前記特定負荷コントロールユニットと加算しなかった前記最大消費電力値を送信した単数または複数の前記特定負荷コントロールユニットとに起動ＮＧ信号を送信する、
前記電源回路が主幹ブレーカと該主幹ブレーカの下流に直接に設けられた単数または複数の分岐ブレーカとを有し、
前記電源コントロールユニットが前記主幹ブレーカに対応する主幹コントロールユニットと単数または複数の分岐ブレーカに各々に対応する単数または複数の分岐コントロールユニットとを有し、
前記主幹コントロールユニットが単数または複数の分岐ブレーカのうちの特定の１つの分岐ブレーカである特定分岐ブレーカの下流に接続された単数又は複数の負荷機器である単数又は複数の特定負荷機器の一群に対応して、前記最大許容電力値を設定し、
単数または複数の前記分岐コントロールユニットが対応する単数または複数の前記分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する、
ことを特徴とする電源機器。
【請求項６】
運転モードを電力を消費して所定の機能を発揮できる機能モード、又は電力をほとんど若しくは全く消費しない待機モードのうちのどちらか一方にすることをできる負荷機器本体と該負荷機器本体に対応し起動ＯＫ信号を受信するときに対応する負荷機器本体の運転モードを該機能モードにすることを許可し、起動ＮＧ信号を受信するときに対応する該負荷機器本体の運転モードを該待機モードにすることを要求する負荷コントロールユニットとを各々に備え各々の最大消費電力値が運転モードが前記機能モードであるときに消費する各々の最大の電力値である単数または複数の負荷機器に各々に電力を給電できる電源機器であって、
単数または複数の負荷機器に各々に電力を給電できる電源回路と、
通信手段と、
負荷コントロールユニットと通信手段を介して通信可能な電源コントロールユニットと、
を備え、
前記電源コントロールユニットが、
複数の負荷機器に優先順位をつけ、
複数の負荷機器のうちの全部または一部の単数または複数の負荷機器である単数または複数の特定負荷機器の一群に対応して単数または複数の特定負荷機器に同時に給電できる最大の電力量である最大許容電力値に対応する最大許容値を設定し、
通信手段を介して単数又は複数の前記特定負荷機器に各々に対応する単数又は複数の負荷コントロールユニットである単数又は複数の特定負荷コントロールユニットから前記特定負荷コントロールユニットの前記負荷機器の最大消費電力値に対応する最大消費値を各々に受信し、複数の最大消費電力値の各々の最大消費電力値を優先順位の順に加算し、加算して得た合計値が前記最大許容電力値より小さいときに加算した単数または複数の前記最大消費電力値を送信した単数または複数の前記特定負荷コントロールユニットに起動ＯＫ信号を送信し、加算して得た合計値が最大許容電力値より大きくなったときに最後に加算した前記最大消費電力値を送信した前記特定負荷コントロールユニットと加算しなかった前記最大消費電力値を送信した単数または複数の前記特定負荷コントロールユニットとに起動ＮＧ信号を送信する、
前記電源回路が主幹ブレーカと該主幹ブレーカの下流に直接設けられた単数又は複数の分岐ブレーカと単数又は複数の該分岐ブレーカのうちの特定の一つの該分岐ブレーカである特定分岐ブレーカの下流に直接に設けられた単数又は複数の下位分岐ブレーカを有し、
前記電源コントロールユニットが前記主幹ブレーカに対応する主幹コントロールユニットと単数または複数の分岐ブレーカに各々に対応する単数または複数の分岐コントロールユニットと単数又は複数の下位分岐ブレーカに対応する単数又は複数の下位分岐コントロールユニットを有し、
前記主幹コントロールユニットが単数または複数の分岐ブレーカのうちの特定の１つの分岐ブレーカである特定分岐ブレーカの下流に接続された単数又は複数の負荷機器である単数又は複数の特定負荷機器の一群に対応して前記最大許容電力値を設定し、
前記分岐コントロールユニットが単数又は複数の前記下位分岐ブレーカのうちの特定の一つの前記下位分岐ブレーカである特定下位分岐ブレーカの下流に接続された単数または複数の負荷機器である単数または複数の特定下位負荷機器の一群に対応して前記最大許容電力値である下位最大許容電力量を設定し、
単数または複数の前記分岐コントロールユニットが対応する単数または複数の前記分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する、
単数又は複数の前記下位分岐コントロールユニットが対応する単数または複数の前記下位分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する、
ことを特徴とする電源機器。
【発明の詳細な説明】
【技術分野】
【０００１】
本発明は、負荷機器と電源機器に係る。特に、電源回路の定格を有効に利用することをできる負荷機器と電源機器に関する。
【背景技術】
【０００２】
電気設備は、負荷機器と負荷機器に電力を給電する電源機器とで構成される。
例えば、建物は電源機器を備える。建物内で、負荷機器を電源機器に接続して、負荷機器が電力を消費して機能を発揮する。
電源機器は、電源回路とブレーカとを設けられる。
ブレーカは、電源回路に予期しない電力が流れると電源回路を遮断するための電気要素である。
例えば、ブレーカは、電源回路に定格電力を越える電流が流れると電源回路を遮断するための電気要素である。
以下では説明の便宜上、電流を川の流れに例へて、電気要素へ電力を供給する側を電気要素の上流の側と、電気要素から電力を供給する側を電気要素の下流の側と、呼称する。
【０００３】
一般に、ブレーカは過電流を防止するための電流遮断機能を有する。
ブレーカの定格電流を越える電流を過電流という。
電源回路に過電流が生ずると、電源回路を遮断し、電源機器の下流に接続されるすべての負荷機器への給電を停止する。
一般に、ブレーカは、主幹ブレーカと主幹ブレーカの下流に設けられる複数の分岐ブレーカとで構成される。
分岐ブレーカで過電流が発生すると、分岐ブレーカの下流に設けられた負荷機器への給電が停止される。
主幹ブレーカで過電流が発生すると、主幹ブレーカの下流に設けられる複数の分岐ブレーカの下流に設けられた負荷機器への給電が停止される。
【０００４】
需要家は、電力会社との契約に際し、契約アンペアを大きめに設定し、複数の負荷機器が作動する際のピーク負荷時にも過電流が生じないようにする。
現行の電気料金は、同一の電力消費量（ｋＷｒ）であれば、契約アンペアが大きいほど電気料金が高くなるように設定されている。
その結果、需要者は割高な電気料金を負担する。
【０００５】
また、集合住宅では、上記の現象が受変電設備および幹線容量を過大にする原因となっており、共用設備工事費を大きくする原因になる。
【発明の概要】
【発明が解決しようとする課題】
【０００６】
本発明は以上に述べた問題点に鑑み案出されたもので、簡単な構造で電源回路の定格を有効に利用することをできる負荷機器と電源機器を提供しようとする。
【課題を解決するための手段】
【０００７】
上記目的を達成するために、本発明に係る電源回路と通信手段と電源コントロールユニットとを備える電源機器から電力を給電されており運転モードを電力を消費して所定の機能を発揮できる機能モード、又は電力をほとんど若しくは全く消費しない待機モードのうちのどちらか一方にすることをできる負荷機器本体に対応づけられており電源コントロールユニットと通信手段を介して通信可能な負荷コントロールユニットを、最大消費電力値が運転モードが前記機能モードであるときに消費する最大の電力値であり、通信手段を介して電源コントロールユニットに前記最大消費電力値に対応する最大消費値を送信し、電源コントロールユニットから起動ＯＫ信号、又は起動ＮＧ信号のうちのどちらか一方の信号を受信して、前記起動ＯＫ信号を受信するときに前記負荷機器本体の運転モードを前記機能モードにすることを許可し、前記起動ＮＧ信号を受信するときに前記負荷機器本体の運転モードを前記待機モードにすることを要求する、ものとした。
【０００８】
上記本発明の構成により、負荷コントロールユニットが、電源回路と通信手段と電源コントロールユニットとを備える電源機器から電力を給電されており運転モードを電力を消費して所定の機能を発揮できる機能モード、又は電力をほとんど若しくは全く消費しない待機モードのうちのどちらか一方にすることをできる負荷機器本体に対応づけられており電源コントロールユニットと通信手段を介して通信可能である。最大消費電力値が運転モードが前記機能モードであるときに消費する最大の電力値である。通信手段を介して電源コントロールユニットに前記最大消費電力値に対応する最大消費値を送信し、電源コントロールユニットから起動ＯＫ信号、又は起動ＮＧ信号のうちのどちらか一方の信号を受信して、前記起動ＯＫ信号を受信するときに前記負荷機器本体の運転モードを前記機能モードにすることを許可し、前記起動ＮＧ信号を受信するときに前記負荷機器本体の運転モードを前記待機モードにすることを要求する、
その結果、電源コントロールユニットが各々の負荷機器の各々の最大消費電力量を勘案して負荷機器を機能モードまたは待機モードにできる。
【０００９】
上記目的を達成するために、本発明に係る電源回路と通信手段と電源コントロールユニットとを備える電源機器から電力を給電される負荷機器を、運転モードを電力を消費して所定の機能を発揮できる機能モード、又は電力をほとんど若しくは全く消費しない待機モードのうちのどちらか一方にすることをできる負荷機器本体と、電源コントロールユニットと通信手段を介して通信可能な負荷コントロールユニットと、を備え、最大消費電力値が運転モードが前記機能モードであるときに消費する最大の電力値であり、前記負荷コントロールユニットが、通信手段を介して電源コントロールユニットに前記最大消費電力値に対応する最大消費値を送信し、電源コントロールユニットから起動ＯＫ信号、又は起動ＮＧ信号のうちのどちらか一方の信号を受信して、前記起動ＯＫ信号を受信するときに前記負荷機器本体の運転モードを前記機能モードにすることを許可し、前記起動ＮＧ信号を受信するときに前記負荷機器本体の運転モードを前記待機モードにすることを要求する、ものとした。
【００１０】
上記本発明の構成により、負荷機器が、電源回路と通信手段と電源コントロールユニットとを備える電源機器から電力を給電される。負荷機器本体が、運転モードを電力を消費して所定の機能を発揮できる機能モード、又は電力をほとんど若しくは全く消費しない待機モードのうちのどちらか一方にすることをできる。負荷コントロールユニットが、電源コントロールユニットと通信手段を介して通信可能である。最大消費電力値が運転モードが前記機能モードであるときに消費する最大の電力値である。前記負荷コントロールユニットが、通信手段を介して電源コントロールユニットに前記最大消費電力値に対応する最大消費値を送信し、電源コントロールユニットから起動ＯＫ信号、又は起動ＮＧ信号のうちのどちらか一方の信号を受信して、前記起動ＯＫ信号を受信するときに前記負荷機器本体の運転モードを前記機能モードにすることを許可し、前記起動ＮＧ信号を受信するときに前記負荷機器本体の運転モードを前記待機モードにすることを要求する。
その結果、電源コントロールユニットが各々の負荷機器の各々の最大消費電力量を勘案して負荷機器を機能モードまたは待機モードにできる。
【００１１】
上記目的を達成するために、本発明に係る運転モードを電力を消費して所定の機能を発揮できる機能モード、又は電力をほとんど若しくは全く消費しない待機モードのうちのどちらか一方にすることをできる負荷機器本体と該負荷機器本体に対応し起動ＯＫ信号を受信するときに対応する負荷機器本体の運転モードを該機能モードにすることを許可し、起動ＮＧ信号を受信するときに対応する該負荷機器本体の運転モードを該待機モードにすることを要求する該負荷コントロールユニットとを各々に備え各々の最大消費電力値が運転モードが前記機能モードであるときに消費する各々の最大の電力値である単数または複数の負荷機器に各々に電力を給電できる電源機器を、単数または複数の負荷機器に各々に電力を給電できる電源回路と、通信手段と、負荷コントロールユニットと通信手段を介して通信可能な電源コントロールユニットと、を備え、前記電源コントロールユニットが、複数の負荷機器に優先順位をつけ、複数の負荷機器のうちの全部または一部の単数または複数の負荷機器である単数または複数の特定負荷機器の一群に対応して単数または複数の特定負荷機器に同時に給電できる最大の電力量である最大許容電力値に対応する最大許容値を設定し、通信手段を介して単数又は複数の前記特定負荷機器に各々に対応する単数又は複数の負荷コントロールユニットである単数又は複数の特定負荷コントロールユニットから前記特定負荷コントロールユニットの前記負荷機器の最大消費電力値に対応する最大消費値を各々に受信し、複数の最大消費電力値の各々の最大消費電力値を優先順位の順に加算し、加算して得た合計値が前記最大許容電力値より小さいときに加算した単数または複数の前記最大消費電力値を送信した単数または複数の前記特定負荷コントロールユニットに起動ＯＫ信号を送信し、加算して得た合計値が最大許容電力値より大きくなったときに最後に加算した前記最大消費電力値を送信した前記特定負荷コントロールユニットと加算しなかった前記最大消費電力値を送信した単数または複数の前記特定負荷コントロールユニットとに起動ＮＧ信号を送信する、ものとした。
【００１２】
上記本発明の構成により、単数または複数の負荷機器が、運転モードを電力を消費して所定の機能を発揮できる機能モード、又は電力をほとんど若しくは全く消費しない待機モードのうちのどちらか一方にすることをできる負荷機器本体と該負荷機器本体に対応し起動ＯＫ信号を受信するときに対応する負荷機器本体の運転モードを該機能モードにすることを許可し、起動ＮＧ信号を受信するときに対応する該負荷機器本体の運転モードを該待機モードにすることを要求する該負荷コントロールユニットとを備える。各々の最大消費電力値が運転モードが前記機能モードであるときに消費する各々の最大の電力値である。電源機器が、複数の負荷機器に各々に電力を給電できる。電源回路が、単数または複数の負荷機器に各々に電力を給電できる。電源コントロールユニットが、負荷コントロールユニットと通信手段を介して通信可能である。前記電源コントロールユニットが、複数の負荷機器に優先順位をつける。前記電源コントロールユニットが、複数の負荷機器のうちの全部または一部の単数または複数の負荷機器である単数または複数の特定負荷機器の一群に対応して単数または複数の特定負荷機器に同時に給電できる最大の電力量である最大許容電力値に対応する最大許容値を設定する。前記電源コントロールユニットが、通信手段を介して単数又は複数の前記特定負荷機器に各々に対応する単数又は複数の負荷コントロールユニットである単数又は複数の特定負荷コントロールユニットから前記特定負荷コントロールユニットの前記負荷機器の最大消費電力値に対応する最大消費値を各々に受信する。前記電源コントロールユニットが、複数の最大消費電力値の各々の最大消費電力値を優先順位の順に加算し、加算して得た合計値が前記最大許容電力値より小さいときに加算した単数または複数の前記最大消費電力値を送信した単数または複数の前記特定負荷コントロールユニットに起動ＯＫ信号を送信し、加算して得た合計値が最大許容電力値より大きくなったときに最後に加算した前記最大消費電力値を送信した前記特定負荷コントロールユニットと加算しなかった前記最大消費電力値を送信した単数または複数の前記特定負荷コントロールユニットとに起動ＮＧ信号を送信する。
その結果、電源機器の許容電力を越えない範囲で、負荷機器の機能を発揮させることをできる。
【００１３】
上記目的を達成するため、電源回路と通信手段と電源コントロールユニットとを備える電源機器から電力を給電されており運転モードを電力を消費して所定の機能を発揮できる機能モード、又は電力をほとんど若しくは全く消費しない待機モードのうちのどちらか一方にすることをできる負荷機器本体に対応づけられて電源コントロールユニットと通信手段を介して通信可能な負荷コントロールユニットを、最大消費電力値が運転モードが前記機能モードであるときに消費する最大の電力値であり、通信手段を介して電源コントロールユニットに前記最大消費電力値に対応する最大消費値を送信し、電源コントロールユニットから起動ＯＫ信号、又は起動ＮＧ信号のうちのどちらか一方の信号を受信して、前記起動ＯＫ信号を受信するときに前記負荷機器本体の運転モードを前記機能モードにし、前記起動ＮＧ信号を受信するときに前記負荷機器本体の運転モードを前記待機モードにする、ものとした。
【００１４】
上記本発明の構成により、負荷コントロールユニットが、電源回路と通信手段と電源コントロールユニットとを備える電源機器から電力を給電されており運転モードを電力を消費して所定の機能を発揮できる機能モード、又は電力をほとんど若しくは全く消費しない待機モードのうちのどちらか一方にすることをできる負荷機器本体に対応づけられて電源コントロールユニットと通信手段を介して通信可能である。最大消費電力値が運転モードが前記機能モードであるときに消費する最大の電力値である。通信手段を介して電源コントロールユニットに前記最大消費電力値に対応する最大消費値を送信し、電源コントロールユニットから起動ＯＫ信号、又は起動ＮＧ信号のうちのどちらか一方の信号を受信して、前記起動ＯＫ信号を受信するときに前記負荷機器本体の運転モードを前記機能モードにし、前記起動ＮＧ信号を受信するときに前記負荷機器本体の運転モードを前記待機モードにする。
その結果、電源コントロールユニットが各々の負荷機器の各々の最大消費電力量を勘案して負荷機器を機能モードまたは待機モードにできる。
【００１５】
上記目的を達成するため、本発明に係る電源回路と通信手段と電源コントロールユニットとを備える電源機器から電力を給電される負荷機器を、運転モードを電力を消費して所定の機能を発揮できる機能モード、又は電力をほとんど若しくは全く消費しない待機モードのうちのどちらか一方にすることをできる負荷機器本体と、電源コントロールユニットと通信手段を介して通信可能な負荷コントロールユニットと、を備え、最大消費電力値が運転モードが前記機能モードであるときに消費する最大の電力値であり、前記負荷コントロールユニットが、通信手段を介して電源コントロールユニットに前記最大消費電力値に対応する最大消費値を送信し、電源コントロールユニットから起動ＯＫ信号、又は起動ＮＧ信号のうちのどちらか一方の信号を受信して、前記起動ＯＫ信号を受信するときに前記負荷機器本体の運転モードを前記機能モードにし、前記起動ＮＧ信号を受信するときに前記負荷機器本体の運転モードを前記待機モードにする、ものとした。
【００１６】
上記本発明の構成により、負荷機器本体が、運転モードを電力を消費して所定の機能を発揮できる機能モード、又は電力をほとんど若しくは全く消費しない待機モードのうちのどちらか一方にすることをできる。負荷コントロールユニットが、電源コントロールユニットと通信手段を介して通信可能である。最大消費電力値が運転モードが前記機能モードであるときに消費する最大の電力値である。前記負荷コントロールユニットが、通信手段を介して電源コントロールユニットに前記最大消費電力値に対応する最大消費値を送信する。前記負荷コントロールユニットが、電源コントロールユニットから起動ＯＫ信号、又は起動ＮＧ信号のうちのどちらか一方の信号を受信して、前記起動ＯＫ信号を受信するときに前記負荷機器本体の運転モードを前記機能モードにし、前記起動ＮＧ信号を受信するときに前記負荷機器本体の運転モードを前記待機モードにする。
その結果、電源コントロールユニットが各々の負荷機器の各々の最大消費電力量を勘案して負荷機器を機能モードまたは待機モードにできる。
【００１７】
上記目的を達成するため、本発明に係る運転モードを電力を消費して所定の機能を発揮できる機能モード、又は電力をほとんど若しくは全く消費しない待機モードのうちのどちらか一方にすることをできる負荷機器本体と該負荷機器本体に対応し起動ＯＫ信号を受信するときに対応する負荷機器本体の運転モードを該機能モードにすることを許可し、起動ＮＧ信号を受信するときに対応する該負荷機器本体の運転モードを該待機モードにすることを要求する該負荷コントロールユニットとを各々に備え各々の最大消費電力値が運転モードが前記機能モードであるときに消費する各々の最大の電力値である単数または複数の負荷機器に各々に電力を給電できる電源機器を、単数または複数の負荷機器に各々に電力を給電できる電源回路と、通信手段と、負荷コントロールユニットと通信手段を介して通信可能な電源コントロールユニットと、を備え、前記電源コントロールユニットが、複数の負荷機器に優先順位をつけ、複数の負荷機器のうちの全部または一部の単数または複数の負荷機器である単数または複数の特定負荷機器の一群に対応して単数または複数の特定負荷機器に同時に給電できる最大の電力量である最大許容電力値に対応する最大許容値を設定し、通信手段を介して単数又は複数の前記特定負荷機器に各々に対応する単数又は複数の負荷コントロールユニットである単数又は複数の特定負荷コントロールユニットから前記特定負荷コントロールユニットの前記負荷機器の最大消費電力値に対応する最大消費値を各々に受信し、複数の最大消費電力値の各々の最大消費電力値を優先順位の順に加算し、加算して得た合計値が前記最大許容電力値より小さいときに加算した単数または複数の前記最大消費電力値を送信した単数または複数の前記特定負荷コントロールユニットに起動ＯＫ信号を送信し、加算して得た合計値が最大許容電力値より大きくなったときに最後に加算した前記最大消費電力値を送信した前記特定負荷コントロールユニットと加算しなかった前記最大消費電力値を送信した単数または複数の前記特定負荷コントロールユニットとに起動ＮＧ信号を送信する、ものとした。
【００１８】
上記本発明の構成により、単数または複数の負荷機器は、互いに対応する負荷機器本体と負荷コントロールユニットとを各々に備える。該負荷機器本体が、運転モードを電力を消費して所定の機能を発揮できる機能モード、又は電力をほとんど若しくは全く消費しない待機モードのうちのどちらか一方にすることをできる。該負荷コントロールユニットが、起動ＯＫ信号を受信するときに対応する負荷機器本体の運転モードを該機能モードにし、起動ＮＧ信号を受信するときに対応する該負荷機器本体の運転モードを該待機モードにする様になる。各々の最大消費電力値が運転モードが前記機能モードであるときに消費する各々の最大の電力値である。電源機器は、単数または複数の負荷機器に各々に電力を給電できる。電源回路が、単数または複数の負荷機器に各々に電力を給電できる。電源コントロールユニットが、負荷コントロールユニットと通信手段を介して通信可能である。前記電源コントロールユニットが、複数の負荷機器に優先順位をつける。前記電源コントロールユニットが、複数の負荷機器のうちの全部または一部の単数または複数の負荷機器である単数または複数の特定負荷機器の一群に対応して単数または複数の特定負荷機器に同時に給電できる最大の電力量である最大許容電力値に対応する最大許容値を設定する。前記電源コントロールユニットが、通信手段を介して単数又は複数の前記特定負荷機器に各々に対応する単数又は複数の負荷コントロールユニットである単数又は複数の特定負荷コントロールユニットから前記特定負荷コントロールユニットの前記負荷機器の最大消費電力値に対応する最大消費値を各々に受信する。前記電源コントロールユニットが、複数の最大消費電力値の各々の最大消費電力値を優先順位の順に加算し、加算して得た合計値が前記最大許容電力値より小さいときに加算した単数または複数の前記最大消費電力値を送信した単数または複数の前記特定負荷コントロールユニットに起動ＯＫ信号を送信し、加算して得た合計値が最大許容電力値より大きくなったときに最後に加算した前記最大消費電力値を送信した前記特定負荷コントロールユニットと加算しなかった前記最大消費電力値を送信した単数または複数の前記特定負荷コントロールユニットとに起動ＮＧ信号を送信する。
その結果、電源機器の許容電力を越えない範囲で、負荷機器の機能を発揮させることをできる。
【００１９】
以下に、本発明の実施形態にかかる電源機器を説明する。本発明は、以下に記載した実施形態のいずれか、またはそれらの中の二つ以上が組み合わされた態様を含む。
【００２０】
本発明の実施形態に係る電源機器は、前記電源回路が主幹ブレーカと該主幹ブレーカの下流に直接に設けられた単数または複数の分岐ブレーカとを有し、前記電源コントロールユニットが、単数または複数の分岐ブレーカのうちの特定の１つの分岐ブレーカである特定分岐ブレーカの下流に接続された単数又は複数の負荷機器である単数又は複数の特定負荷機器の一群に対応して、前記特定分岐ブレーカの定格電力値、または前記主幹ブレーカの定格電力値から前記主幹ブレーカに現に流れる電力値を差し引いて得た電力値に前記特定分岐ブレーカに現に流れる電力値を加算して得た電力値のうちの小さい方の電力値を前記最大許容電力値として設定する。
上記実施形態の構成により、前記電源回路が主幹ブレーカと該主幹ブレーカの下流に直接に設けられた単数または複数の分岐ブレーカとを有する。前記電源コントロールユニットが、単数または複数の分岐ブレーカのうちの特定の１つの分岐ブレーカである特定分岐ブレーカの下流に接続された単数又は複数の負荷機器である単数又は複数の特定負荷機器の一群に対応して、前記特定分岐ブレーカの定格電力値、または前記主幹ブレーカの定格電力値から前記主幹ブレーカに現に流れる電力値を差し引いて得た電力値に前記特定分岐ブレーカに現に流れる電力値を加算して得た電力値のうちの小さい方の電力値を前記最大許容電力値として設定する。
その結果、主幹ブレーカ、特定分岐ブレーカの定格電力値を越えない範囲で、特定負荷機器の機能を発揮させることをできる。
【００２１】
本発明の実施形態に係る電源機器は、前記電源回路が主幹ブレーカと該主幹ブレーカの下流に直接設けられた単数又は複数の分岐ブレーカと単数又は複数の該分岐ブレーカのうちの特定の一つの該分岐ブレーカである特定分岐ブレーカの下流に直接に設けられた単数又は複数の下位分岐ブレーカを有し、前記電源コントロールユニットが、単数又は複数の前記下位分岐ブレーカのうちの特定の一つの前記特定下位分岐ブレーカの下流に接続された単数または複数の負荷機器である単数または複数の特定下位負荷機器の一群に対応して、前記特定下位分岐ブレーカの上流に設けられた前記分岐ブレーカの定格電力値から前記特定下位分岐ブレーカの上流に設けられた前記分岐ブレーカの下流に直接に接続され起動ＯＫ信号を送信した単数又は複数の負荷機器に各々に対応して設定された単数又は複数の最大消費電力値の総合計値を差し引いて得た電力値に前記特定下位分岐ブレーカに現に流れる電力値を加算して得た電力値と前記特定下位分岐ブレーカの定格電力値とのうちの少ない値を前記最大許容電力値である下位最大許容電力量として設定する。
上記実施形態の構成により、前記電源回路が主幹ブレーカと該主幹ブレーカの下流に直接設けられた単数又は複数の分岐ブレーカと単数又は複数の該分岐ブレーカのうちの特定の一つの該分岐ブレーカである特定分岐ブレーカの下流に直接に設けられた単数又は複数の下位分岐ブレーカを有する。前記電源コントロールユニットが、単数又は複数の前記下位分岐ブレーカのうちの特定の一つの前記特定下位分岐ブレーカの下流に接続された単数または複数の負荷機器である単数または複数の特定下位負荷機器の一群に対応して、前記特定下位分岐ブレーカの上流に設けられた前記分岐ブレーカの定格電力値から前記特定下位分岐ブレーカの上流に設けられた前記分岐ブレーカの下流に直接に接続され起動ＯＫ信号を送信した単数又は複数の負荷機器に各々に対応して設定された単数又は複数の最大消費電力値の総合計値を差し引いて得た電力値に前記特定下位分岐ブレーカに現に流れる電力値を加算して得た電力値と前記特定下位分岐ブレーカの定格電力値とのうちの少ない値を前記最大許容電力値である下位最大許容電力量として設定する。
その結果、主幹ブレーカ、特定分岐ブレーカ、下位分岐ブレーカの定格電力値を越えない範囲で、特定下位負荷機器の機能を発揮させることをできる。
【００２２】
本発明の実施形態に係る電源機器は、前記電源コントロールユニットが、複数の負荷機器に複数の負荷機器の各々の複数の負荷コントロールユニットを認識する順番に応じて優先順位をつける。
上記実施形態の構成により、複数の負荷機器に複数の負荷機器の各々の複数の負荷コントロールユニットを認識する順番に応じて優先順位をつける。
その結果、電源コントロールユニットが負荷コントロールユニットを認識した順番に応じて起動ＯＫ信号または起動ＮＧ信号を送信できる。
【００２３】
本発明の実施形態に係る電源機器は、前記電源コントロールユニットが、例外として、複数の負荷機器のうちの運転モードを機能モードから待機モードに変えたときに機能を低下させるがその他に不都合を生じさせない単数または複数の負荷機器の優先順位を他の負荷機器の優先順位より下げる。
上記実施形態の構成により、例外として、複数の負荷機器のうちの運転モードを機能モードから待機モードに変えたときに機能を低下させるがその他に不都合を生じさせない単数または複数の負荷機器の優先順位を他の負荷機器の優先順位より下げる。
その結果、、電源機器に余裕がなくなってきたときに待機モードにおいて機能低下以外の不都合の生じない負荷機器を待機モードにして、その他の負荷機器に電力を融通できる。
【００２４】
本発明の実施形態に係る電源機器は、前記電源コントロールユニットが前記主幹ブレーカに対応する主幹コントロールユニットと単数または複数の分岐ブレーカに各々に対応する単数または複数の分岐コントロールユニットとを有し、前記主幹コントロールユニットが単数または複数の特定負荷機器の一群に対して前記最大許容電力値を設定し、単数または複数の前記分岐コントロールユニットが対応する単数または複数の前記分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する。
上記実施形態の構成により、前記電源コントロールユニットが前記主幹ブレーカに対応する主幹コントロールユニットと単数または複数の分岐ブレーカに各々に対応する単数または複数の分岐コントロールユニットとを有する。前記主幹コントロールユニットが、単数または複数の特定負荷機器の一群に対して前記最大許容電力値を設定する。単数または複数の前記分岐コントロールユニットが、対応する単数または複数の前記分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する。
その結果、互いに対応する分岐ブレーカと分岐コントロールユニットとを一単位として電源機器の拡張または縮小をできる。
【００２５】
本発明の実施形態に係る電源機器は、前記電源コントロールユニットが前記主幹ブレーカに対応する主幹コントロールユニットと単数または複数の分岐ブレーカに各々に対応する単数または複数の分岐コントロールユニットと単数又は複数の下位分岐ブレーカに対応する単数又は複数の下位分岐コントロールユニットを有し、前記主幹コントロールユニットが単数または複数の特定負荷機器の一群に対して前記最大許容電力値を設定し、前記分岐コントロールユニットが単数または複数の特定下位負荷機器の一群に対して前記下位最大許容電力値を設定し、単数または複数の前記分岐コントロールユニットが対応する単数または複数の前記分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する、単数又は複数の前記下位分岐コントロールユニットが対応する単数または複数の前記下位分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する。
上記実施形態の構成により、前記電源コントロールユニットが前記主幹ブレーカに対応する主幹コントロールユニットと単数または複数の分岐ブレーカに各々に対応する単数または複数の分岐コントロールユニットと単数又は複数の下位分岐ブレーカに対応する単数又は複数の下位分岐コントロールユニットを有する。前記主幹コントロールユニットが、単数または複数の特定負荷機器の一群に対して前記最大許容電力値を設定する。前記分岐コントロールユニットが、単数または複数の特定下位負荷機器の一群に対して前記下位最大許容電力値を設定する。単数または複数の前記分岐コントロールユニットが、対応する単数または複数の前記分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する。単数又は複数の前記下位分岐コントロールユニットが、対応する単数または複数の前記下位分岐ブレーカの下流に各々に直接に設けられる単数または複数の負荷機器の各々の単数又は複数の前記負荷コントロールユニットに前記通信手段を介して前記起動ＯＫ信号または前記起動ＮＧ信号のうちの一方を送信する。
。
その結果、互いに対応する分岐ブレーカと分岐コントロールユニットとを一単位として電源機器の拡張または縮小をできる。
【発明の効果】
【００２６】
以上説明したように本発明に係る負荷機器と負荷コントロールユニットは、その構成により、以下の効果を有する。
負荷機器本体が運転モードを機能モードと待機モードとのうちのどちらか一方にすることをでき、負荷コントロールユニットが電回路に導通したときに電源コントローユニットに機能モードでの最大の消費電力量を送信し、電源コントロールユニットが負荷コントロールユニットに起動ＯＫ信号を送信するときに負荷機器本体を機能モードにすることを許可し、電源コントロールユニットが起動ＮＧ信号を送信するときに負荷機器本体を待機モードにすることを要求する様にしたので、電源コントロールユニットが各々の負荷機器の各々の最大消費電力量を勘案して負荷機器を機能モードまたは待機モードにできる。
負荷機器本体が運転モードを機能モードと待機モードとのうちのどちらか一方にすることをでき、負荷コントロールユニットが電回路に導通したときに電源コントローユニットに機能モードでの最大の消費電力量を送信し、電源コントロールユニットが負荷コントロールユニットに起動ＯＫ信号を送信するときに負荷機器本体を機能モードにし、電源コントロールユニットが起動ＮＧ信号を送信するときに負荷機器本体を待機モードにする様にしたので、電源コントロールユニットが各々の負荷機器の各々の最大消費電力量を勘案して負荷機器を機能モードまたは待機モードにできる。
【００２７】
以上説明したように本発明に係る電源機器は、その構成により、以下の効果を有する。
負荷機器が運転モードを機能モードと待機モードとのうちのどちらか一方にすることをでき、負荷コントロールユニットが電源回路に導通したときに電源コントロールユニットに機能モードでの最大の消費電力量を送信し、電源コントロールユニットが特定の負荷機器の一群に同時に給電できる最大許容電力値を設定し、一群の負荷機器の最大消費電力と最大許容電力とを勘案して最大許容電力に余力がある範囲で一群の負荷機器のうちのいくつかの負荷機器に起動ＯＫ信号を送信して負荷機器本体を機能モードにすることを許可し、その他の負荷機器に起動ＮＧ信号を送信して負荷機器本体を待機モードにすることを要求する様にしたので、電源機器の許容電力を越えない範囲で、負荷機器の機能を発揮させることをできる。
負荷機器が運転モードを機能モードと待機モードとのうちのどちらか一方にすることをでき、負荷コントロールユニットが電回路に導通したときに電源コントロールユニットに機能モードでの最大の消費電力量を送信し、電源コントロールユニットが特定の負荷機器の一群に同時に給電できる最大許容電力値を設定し、一群の負荷機器の最大消費電力と最大許容電力とを勘案して最大許容電力に余力がある範囲で一群の負荷機器のうちのいくつかの負荷機器に起動ＯＫ信号を送信して負荷機器本体を待機モードにし、その他の負荷機器に起動ＮＧ信号を送信して負荷機器本体を待機モードにする様にしたので、電源機器の許容電力を越えない範囲で、負荷機器の機能を発揮させることをできる。
また、電源機器の主幹ブレーカの下流に分岐ブレーカが設けられ、電源コントロールユニットが、特定の分岐ブレーカの下流に設けられた特定負荷機器の一群に対して、特定分岐ブレーカの定格電力値と現に流れる電力値と主幹ブレーカの定格電力値と現に流れる電力値とを勘案して起動ＯＫまたは起動ＮＧを判断するための基準である最大許容電力値を設定する様にしたので、主幹ブレーカ、特定分岐ブレーカの定格電力値を越えない範囲で、特定負荷機器の機能を発揮させることをできる。
また、電源機器の主幹ブレーカの下流に分岐ブレーカを設け、分岐ブレーカの下流に下流分岐ブレーカを設け、電源コントロールユニットが、特定の分岐ブレーカの下流に設けられる下位負荷機器の一群に対して、分岐ブレーカの定格電力値と機能を発揮している負荷機器の最大消費電力と下位分岐ブレーカの定格電力値と現に流れる電力値とを勘案して起動ＯＫまたは起動ＮＧを判断するための基準である最大許容電力値を設定する様にしたので、主幹ブレーカ、特定分岐ブレーカ、下位分岐ブレーカの定格電力値を越えない範囲で、特定下位負荷機器の機能を発揮させることをできる。
また、電源コントロールユニットが負荷コントロールユニットを認識した順番に応じて複数の負荷機器に優先順位を付ける様にしたので、電源コントロールユニットが負荷コントロールユニットを認識した順番に応じて起動ＯＫ信号または起動ＮＧ信号を送信できる。
また、例外として、機能モードから待機モードに変えたときに機能低下以外の不都合を生じない負荷機器の優先順位を下げる様にしたので、電源機器に余裕がなくなってきたときに待機モードにおいて機能低下以外の不都合の生じない負荷機器を待機モードにして、その他の負荷機器に電力を融通できる。
また、主幹ブレーカに主幹コントロールユニットを対応させ、分岐ブレーカに分岐コントロールユニットを各々に対応させ、主幹コントロールユニットが下流の分岐ブレーカの一群に対して最大許容電力値を設定し、分岐コントロールユニットが、対応する分岐ブレーカの下流に直接に設けられる負荷機器に起動ＯＫ信号または起動ＮＧ信号を送信する様にしたので、互いに対応する分岐ブレーカと分岐コントロールユニットとを一単位として電源機器の拡張または縮小をできる。
また、主幹ブレーカに主幹コントロールユニットを対応させ、分岐ブレーカに分岐コントロールユニットを各々に対応させ、下位分岐ブレーカに下位分岐コントロールユニットを対応させ、主幹コントロールユニットが下流の分岐ブレーカの一群に対して最大許容電力値を設定し、分岐コントロールユニットが下位分岐コントロールユニットの下流に設けられる負荷機器の一群に対して下位最大許容電力量を設定し、分岐コントロールユニットが、対応する分岐ブレーカの下流に直接に設けられる負荷機器に起動ＯＫ信号または起動ＮＧ信号を送信し、下位分岐コントロールユニットが、対応する下位分岐ブレーカの下流に直接設けられる負荷機器に起動ＯＫ信号または起動ＮＧ信号を送信する様にしたので、互いに対応する分岐ブレーカと分岐コントロールユニットとを一単位として電源機器の拡張または縮小をできる。
従って、簡単な構造で電源回路の定格を有効に利用することをできる負荷機器と電源機器を提供できる。
【図面の簡単な説明】
【００２８】
【図１】本発明の第一の実施形態に係る負荷機器と電源機器の概念図である。
【図２】本発明の第一の実施形態に係る負荷コントロールユニットの概念図である。
【図３】本発明の第一の実施形態に係る電源コントロールユニットの概念図である。
【図４】本発明の第一の実施形態に係る負荷機器と電源機器の制御フローチャート図である。
【図５】本発明の第二の実施形態に係る負荷機器と電源機器の概念図である。
【図６】本発明の第二の実施形態に係る負荷機器と電源機器の制御フローチャート図である。
【図７】本発明の第三の実施形態に係る負荷機器と電源機器の概念図である。
【図８】本発明の第三の実施形態に係る負荷機器と電源機器の制御フローチャート図である。
【発明を実施するための形態】
【００２９】
以下、本発明を実施するための最良の形態を、図面を参照して説明する。
【００３０】
最初に、本発明の第一の実施形態に係る負荷機器と電源機器を、図を基に、説明する
図１は、本発明の第一の実施形態に係る負荷機器と電源機器の概念図である。図２は、本発明の第一の実施形態に係る負荷コントロールユニットの概念図である。図３は、本発明の第一の実施形態に係る電源コントロールユニットの概念図である。図４は、本発明の第一の実施形態に係る負荷機器と電源機器の制御フローチャート図である。
【００３１】
負荷機器１００は、電源機器２００から電力を給電される機器である。
電源機器２００は、電源回路２１０と電源コントロールユニット２２０と通信手段２３０とで構成される。
電源機器２００は、電源回路２１０と電源コントロールユニット２２０と通信手段２３０と電流計２４０とで構成されてもよい。
負荷機器１００は、負荷機器本体１１０と負荷コントロールユニット１２０とで構成される。
負荷機器１００は、互いに対応づけられる負荷機器本体１１０と負荷コントロールユニット１２０とで構成されてもよい。
【００３２】
負荷機器本体１１０は、運転モードを機能モード、又は待機モードのうちのどちらか一方にすることをできる。
機能モードは、電力を消費して所定の機能を発揮できる運転モードである。
待機モードは、電力をほとんど若しくは全く消費しない運転モードである。
最大消費電力値は、運転モードが機能モードであるときに負荷機器１００が消費する最大の電力値である。
【００３３】
負荷コントローユニット１２０は、電源コントロールユニット２２０と通信手段２３０を介して通信可能である。
負荷コントロールユニット１２０が、通信手段２３０を介して電源コントロールユニット２２０に最大消費電力値に対応する最大消費値を送信する。
例えば、最大消費値は、最大消費電流値である。
負荷コントロールユニット１２０が、電源回路２１０に導通されたときに、通信手段２３０を介して電源コントロールユニット２２０に最大消費電力値に対応する最大消費値を送信してもよい。
または、負荷コントロールユニット１２０が、電源回路２１０に導通された負荷機器本体１１０の主スイッチをオンされたときに、通信手段２３０を介して電源コントロールユニット２２０に最大消費電力値に対応する最大消費値を送信してもよい。
例えば、負荷機器本体が主スイッチをオンされても機能モードにならず特定の操作をうけたときに機能モードになるものであるときに、負荷コントロールユニット１２０が、電源回路２１０に導通された負荷機器本体１１０の主スイッチをオンされたときに、通信手段２３０を介して電源コントロールユニット２２０に最大消費電力値に対応する最大消費値を送信する。
【００３４】
負荷コントロールユニット１２０が、電源コントロールユニット２２０から起動ＯＫ信号、又は起動ＮＧ信号のうちのどちらか一方の信号を受信して、起動ＯＫ信号を受信するときに負荷機器本体１１０の運転モードを機能モードにすることを許可し、起動ＮＧ信号を受信するときに負荷機器本体１１０の運転モードを待機モードにすることを要求してもよい。
例えば、起動ＯＫ信号を受信するときに負荷機器本体１１０の運転モードを機能モードにすることを許可する起動ＯＫランプを点灯し、起動ＮＧ信号を受信するときに負荷機器本体１１０の運転モードを待機モードにすることを要求する起動ＮＧランプを点灯してもよい。
【００３５】
負荷コントロールユニット１２０が、電源コントロールユニット２２０から起動ＯＫ信号、又は起動ＮＧ信号のうちのどちらか一方の信号を受信して、起動ＯＫ信号を受信するときに負荷機器本体の運転モードを機能モードにし、起動ＮＧ信号を受信するときに負荷機器本体の運転モードを待機モードにしてもよい。
例えば、負荷コントロールユニット１２０が、電源コントロールユニット２２０から起動ＯＫ信号、又は起動ＮＧ信号のうちのどちらか一方の信号を受信して、起動ＯＫ信号を受信するときに負荷機器本体の運転モードを自動的に機能モードにし、起動ＮＧ信号を受信するときに負荷機器本体の運転モードを自動的に待機モードにしてもよい。
【００３６】
負荷コントロールユニット１２０の構成の一例を、図を基に、説明する。
図２は、負荷コントロールユニット１２０の構成の一例を図示する。
負荷コントロールユニット１２０は、ＣＰＵとＲＯＭとメモリとＩ／Ｆとで構成される。
ＣＰＵは、センタープロセッシングユニットである。
ＲＯＭは、呼びだし専門メモリである。
ＲＯＭは、ＣＰＵを作動させるプログラムとデータとを記憶する。
例えば、ＲＯＭは、負荷コントロールユニット１２０の負荷機器１００の最大消費電力値に対応する値である最大消費値を記憶する。
例えば、最大消費値は、最大消費電流値である。
例えば、ＲＯＭは、通信手段を介して通信する際の機器ＩＤを記憶する。
例えば、機器ＩＤは、Ｉ／Ｆボード上のＭａｃ＿ａｄｄｒｅｓｓである。
メモリは、読み書き可能なメモリである。
例えば、メモリは、ＣＰＵがプログラムを実行する際の一時的なデータを記憶する。
例えば、メモリは、負荷機器１００の現に消費する電力値に対応する値を記憶する。
Ｉ／Ｆは、ＣＰＵが外部からデータを入力し、または外部にデータを出力するためのインターフェースである。
【００３７】
電源機器２００は、単数または複数の負荷機器１００に各々に電力を給電できる機器である。
電源機器２００は、電源回路２１０と通信手段２３０と電源コントロールユニット２２０とで構成される。
電源機器２００は、電源回路２１０と通信手段２３０と電源コントロールユニット２２０と電流計２４０とで構成されてもよい。
【００３８】
電源回路２１０は、主幹ブレーカ２１１と単数または複数の分岐ブレーカ２１２とそれらを導通する回路線とで構成される。
単数または複数の分岐ブレーカ２１２は、主幹ブレーカ２１１の下流に設けられる。
上述した単数または複数の負荷機器１００は、単数または複数の分岐ブレーカ２１２のうちのどれかの分岐ブレーカ２１２の下流に設けられる。
特に、分岐ブレーカ２１２の特定の分岐ブレーカ２１２の下流に設けられる分岐ブレーカ２１２を、下位分岐ブレーカ２１３と呼称する。
【００３９】
電源コントロールユニット２２０は、電源機器２００にオーバロードすることを未然に防止することにより電源を遮断しない様にするための電気機器である。
例えば、電源コントロールユニット２２０は、電源機器２００に過電流が流れることを未然に防止することにより電源を遮断しない様にするための電気機器である。
電源コントロールユニット２２０は、負荷コントロールユニット１２０と通信手段２３０を介して通信可能である。
電源コントロールユニット２２０は、単数または複数の負荷コントロールユニット１２０から、負荷コントロールユニット１２０の負荷機器１００の最大消費電力値に対応する最大消費値を受信する。
例えば、電源コントロールユニット２２０は、単数または複数の負荷コントロールユニット１２０から、負荷コントロールユニット１２０の負荷機器１００の最大消費電流値を受信する。
電源コントロールユニット２２０は、単数または複数の負荷コントロールユニット１２０に起動ＯＫ信号または起動ＮＧ信号のうちの一方の信号を各々に送信する。
【００４０】
電源コントロールユニット２２０の構成の一例を、図を基に、説明する。
図３は、電源コントロールユニット２２０の構成の一例を図示する。
電源コントロールユニット２２０は、ＣＰＵとＲＯＭとメモリ１とメモリ２とＩ／Ｆとで構成される。
ＣＰＵは、センタープロセッシングユニットである。
ＲＯＭは、呼びだし専門メモリである。
ＲＯＭは、ＣＰＵを作動させるプログラムとデータとを記憶する。
例えば、ＲＯＭは、負荷コントロールユニット１２０の負荷機器１００の最大消費電力値に対応する値であるう最大消費値を記憶する。
例えば、ＲＯＭは、通信手段２３０を介して通信する際の機器ＩＤを記憶する。
例えば、機器ＩＤは、Ｉ／Ｆボード上のＭａｃ＿ａｄｄｒｅｓｓである。
メモリ１は、読み書き可能なメモリである。
例えば、メモリ１は、ＣＰＵがプログラムを実行する際の一時的なデータを記憶する。
例えば、メモリ２は、ブレーカに現に流れる電力値に対応する値を記憶する。
メモリ２は、読み書き可能なメモリである。
例えば、メモリ２は、負荷コントロールユニット１２０の機器ＩＤ、優先順位、稼働状況、等を記憶する。
Ｉ／Ｆは、ＣＰＵが外部からデータを入力し、または外部にデータを出力するためのインターフェースである。
【００４１】
通信手段２３０は、電源コントロールユニット２２０と負荷コントロールユニット１２０との通信を可能にする手段である。
例えば、通信手段２３０は、回路線に通信信号を重畳することにより行う電力線搬送通信方式を採用したものである。
【００４２】
電流計２４０は、電源回路２１０を流れる電流を測定できる電気要素である。
電流計２４０は、主幹ブレーカ電流計２４１と単数または複数の分岐ブレーカ電流計２４２とで構成される。
電流計２４０は、主幹ブレーカ電流計２４１と単数または複数の分岐ブレーカ電流計２４２と下位分岐ブレーカ電流計２４３とで構成されてもよい。
主幹ブレーカ電流計２４１は、主幹ブレーカ２１１を現に流れる電流を測定する。
分岐ブレーカ電流計２４２は、分岐ブレーカ２１２に現に流れる電流を測定する。
下位分岐ブレーカ電流計２４３は、下位分岐ブレーカ２１３に現に流れる電流を測定する。
【００４３】
電源コントロールユニット２２０が、複数の負荷機器１００に優先順位をつける。
電源コントロールユニット２２０が、複数の負荷機器１００に複数の負荷機器１００の各々の複数の負荷コントロールユニット１２０を認識する順番に応じて優先順位をつけてもい。
電源コントロールユニット２２０が、例外として、複数の負荷機器のうちの運転モードを機能モードから待機モードに変えたときに機能を低下させるがその他に不都合を生じさせない単数または複数の負荷機器の優先順位を他の負荷機器の優先順位より下げてもよい。
例えば、空調機、冷蔵庫、等は、運転モードを機能モードから待機モードに変えたときに機能を低下させるがその他に不都合を生じさせない単数または複数の負荷機器に相当する場合がある。
【００４４】
電源コントロールユニット２２０が、複数の負荷機器１００のうちの全部または一部の単数または複数の負荷機器１００である単数または複数の特定負荷機器１００の一群に対応して、単数または複数の特定負荷機器１００に同時に給電できる最大の電力量である最大許容電力値に対応する最大許容値を設定する。
【００４５】
電源回路２１０が主幹ブレーカ２１１と主幹ブレーカ２１１の下流に直接に設けられた単数または複数の分岐ブレーカ２１２とを有する場合に、
電源コントロールユニット２２０は、単数または複数の分岐ブレーカ２１２のうちの特定の１つの分岐ブレーカである特定分岐ブレーカ２１２の下流に接続された単数又は複数の負荷機器１００である単数又は複数の特定負荷機器１００の一群に対応して、特定分岐ブレーカ２１２の定格電力値、または主幹ブレーカ２１１の定格電力値から主幹ブレーカ２１１に現に流れる電力値を差し引いて得た電力値に特定分岐ブレーカ２１２に現に流れる電力値を加算して得た電力値のうちの小さい方の電力値を最大許容電力値として設定してもよい。
ここで、定格電力値は、定格電流値に相当する電力値である。
【００４６】
電源回路２１０が主幹ブレーカ２１１と主幹ブレーカ２１１の下流に直接設けられた単数又は複数の分岐ブレーカ２１２と単数又は複数の分岐ブレーカ２１２のうちの特定の一つの分岐ブレーカ２１２である特定分岐ブレーカ２１２の下流に直接に設けられた単数又は複数の下位分岐ブレーカ２１３を有する場合に、
電源コントロールユニット２２０が、単数又は複数の下位分岐ブレーカ２１３のうちの特定の一つの特定下位分岐ブレーカ２１３の下流に接続された単数または複数の負荷機器１００である単数または複数の特定下位負荷機器１００ａの一群に対応して、特定下位分岐ブレーカ２１３の上流に設けられた分岐ブレーカ２１２の定格電力値から特定下位分岐ブレーカ２１３の上流に設けられた分岐ブレーカ２１２の下流に直接に接続され起動ＯＫ信号を送信した単数又は複数の負荷機器１００に各々に対応して設定された単数又は複数の最大消費電力値の総合計値を差し引いて得た電力値に特定下位分岐ブレーカ２１３に現に流れる電力値を加算して得た電力値と特定下位分岐ブレーカ２１３の定格電力値とのうちの少ない値を最大許容電力値である下位最大許容電力量として設定してもよい。
【００４７】
電源コントロールユニット２２０が、通信手段２３０を介して単数又は複数の特定負荷機器１００に各々に対応する単数又は複数の負荷コントロールユニット１２０である単数又は複数の特定負荷コントロールユニット１２０から特定負荷コントロールユニット１２０の負荷機器１００の最大消費電力値に対応する最大消費値を各々に受信する。
【００４８】
電源コントロールユニット２２０が、複数の最大消費電力値の各々の最大消費電力値を優先順位の順に加算し、加算して得た合計値が最大許容電力値より小さいときに加算した単数または複数の最大消費電力値を送信した単数または複数の特定負荷コントロールユニット１２０に起動ＯＫ信号を送信し、加算して得た合計値が最大許容電力値より大きくなったときに最後に加算した最大消費電力値を送信した特定負荷コントロールユニット１２０と加算しなかった最大消費電力値を送信した単数または複数の特定負荷コントロールユニット１２０とに起動ＮＧ信号を送信する。
例えば、電源コントロールユニット２２０が、複数の最大消費電力値の各々の最大消費電力値を優先順位に従って優先度の高い順に加算し、加算して得た合計値が最大許容電力値より小さいときに加算した単数または複数の最大消費電力値を送信した単数または複数の特定負荷コントロールユニット１２０に起動ＯＫ信号を送信し、加算して得た合計値が最大許容電力値より大きくなったときに最後に加算した最大消費電力値を送信した特定負荷コントロールユニット１２０と加算しなかった最大消費電力値を送信した単数または複数の特定負荷コントロールユニット１２０とに起動ＮＧ信号を送信する。
【００４９】
以下に、第一の実施形態にかかる負荷機器と電源機器の作用を、フローチャートに則して、詳述する。
図４は、本発明の第一の実施形態に係る負荷機器と電源機器の制御フローチャート図である。
最初に、電源コントロールユニット２２０の手続きを説明する。
【００５０】
＜ステップＳ１００＞
電源機器の作動がスタートする。
手動によりスイッチが入れられることにより電源コントロールユニット２２０のプログラムがスタートする。
【００５１】
＜ステップＳ１０１＞
ブレーカＯＮ（手動）
最大許容電力値＝Ｉｍａｘ（０）
ブレーカを手動でＯＮする。
最大許容電力値をＩｍａｘ（０）として設定する。
【００５２】
＜ステップＳ１０２＞
ｎ＝１
負荷機器の識別番号Ｎに１を入力する。
【００５３】
＜ステップＳ１０３＞
負荷電流監視
ブレーカに現に流れる電流値を監視する。
【００５４】
＜ステップＳ１０４＞
ｊ番目の負荷削減？
優先順位ｊ番目の負荷が削減されたかを確認する。
削減されるとステップＳ１０５へ進む。
削減されないとステップＳ１１１へ進む。
【００５５】
＜ステップＳ１０５＞
Ｉｍａｘ（ｋ）＝Ｉｍａｘ（ｋ＋１）、（ｋ＝ｊ、ｎ−１）
最大許容電力を見直す。
【００５６】
＜ステップＳ１０６＞
ｎ＝ｎー１
負荷機器の識別番号を繰り上げる。
【００５７】
＜ステップＳ１０７＞
停止中の機器あり？
負荷機器が待機モードかどうかを確認する。
待機モードであるときにステップＳ１１４へ進む。
待機モードでないときにステップＳ１０８へ進む。
【００５８】
＜ステップＳ１０８＞
Ｎ＝０？
識別番号Ｎが０かどうかを確認する。
０であるとステップＳ１０９へ進む。
０でないとステップＳ１０３へ進む。
【００５９】
＜ステップＳ１０９＞
ブレーカＯＦＦ（手動）
ブレーカを手動でＯｆｆする。
【００６０】
＜ステップＳ１１０＞
ｅｎｄ
終了する。
【００６１】
＜ステップＳ１１１＞
Ｎ番目の負荷を接続？
識別番号Ｎの負荷機器が接続されているかどうかを確認する。
接続されているとステップＳ１１２へ進む。
接続されていないとステップＳ１０３へ進む。
【００６２】
＜ステップＳ１１２＞
最大電流＝Ｉｍａｘ（ｎ）送信を受信
識別番号１〜ｎの負荷機器の最大消費電力値に対応する最大消費値を受信する。
例えば、識別番号１〜ｎの負荷機器の最大消費電流値を受信する。
【００６３】
＜ステップＳ１１３＞
負荷機器の順番を優先順位の昇順にならべかえ
負荷機器の識別番号を優先順位に応じて昇順に並び替える。
【００６４】
＜ステップＳ１１４＞
Ｉｍａｘ（０）≧ΣＩｍａｘ（ｉ）？、（ｉ＝１、ｎ）
最大許容電力値が接続されている負荷機器１〜ｎの最大消費電力値の総和より大きいかを確認する。
大きいとステップＳ１１５へ進む
大きくないとステップＳ１１６へ進む。
【００６５】
＜ステップＳ１１５＞
１〜ｎ番目の負荷機器に起動ＯＫを送信
優先順位１〜ｎ番目の負荷機器に起動ＯＫ信号を送信する。
ステップＳ１０３へ進む。
【００６６】
＜ステップＳ１１６＞
ｊ＝１
ｊを１に初期化する。
【００６７】
＜ステップＳ１１７＞
Ｉｍａｘ（０）≧ΣＩｍａｘ（ｉ）？、（ｉ＝１、ｊ）
最大許容電力値が負荷機器１〜ｊの最大消費電力値の総和より大きいかを確認する。
大きいとステップＳ１２０へ進む
大きくないとステップＳ１１８へ進む。
【００６８】
＜ステップＳ１１８＞
Ｊ＋１〜ｎ番目の負荷機器に起動ＮＧを送信
優先番号Ｊ＋１から優先順位ｎまでのの負荷機器に起動ＮＧ信号を送信する。
【００６９】
＜ステップＳ１１９＞
１〜ｊ番目の負荷機器に起動ＯＫを送信
優先番号１から優先順位ｊまでのの負荷機器に起動ＯＫ信号を送信する。
ステップＳ１０３へ進む。
【００７０】
＜ステップＳ１２０＞
Ｊ＝Ｊ＋１
ｊに１を加算する。
ステップＳ１１７へ進む。
【００７１】
次に、負荷コントロールユニット１２０の処理手続を説明する。
図４の右図は、負荷コントロールユニット１２０の処理手続（Ｓ２００〜Ｓ２１５）を示す。
【００７２】
＜ステップＳ２００＞
ｓｔａｒｔ
負荷機器の作動がスタートする。
手動によりスイッチが入れられることにより負荷コントロールユニット１２０のプログラムがスタートする。
【００７３】
＜ステップＳ２０１＞
コンセント接続（手動）
コンセントを手動で接続する。
【００７４】
＜ステップＳ２０２＞
最大電流送信
最大消費電力値に対応する最大消費値を電源コントロールユニット２２０に送信する。
例えば、最大消費電流値を電源コントロールユニットに送信する。
【００７５】
＜ステップＳ２０３＞
起動可否送信を受理
電源コントロールユニット２２０から起動ＯＫ信号または起動ＮＧ信号のうちのどちらか一方の信号を受信する。
【００７６】
＜ステップＳ２０４＞
起動ＯＫ？
起動ＯＫ信号を受信したかを確認する。
起動ＯＫ信号を受信するとステップＳ２０６へ進む。
起動ＮＧ信号を受信するとステップＳ２０５へ進む。
【００７７】
＜ステップＳ２０５＞
起動ＮＧを表示
起動ＮＧランプを点灯させる。
ステップＳ２０２へ進む。
【００７８】
＜ステップＳ２０６＞
負荷機器起動（手動）
起動ＯＫランプを点灯する。
負荷機器を主導で起動して機能モードにする。
【００７９】
＜ステップＳ２０７＞
停止通知受信？
起動ＮＧ信号を受信したかを確認する。
起動ＮＧ信号を受信するとステップＳ２０８へ進む。
起動ＮＧ信号を受信しないとステップＳ２１３へ進む。
【００８０】
＜ステップＳ２０８＞
Ｔｉｍｅ  Ｓｔａｒｔ
タイマーを起動する。
【００８１】
＜ステップＳ２０９＞
起動通知受信？
起動ＯＫ信号を受信したかを確認する。
起動ＯＫ信号を受信するとステップＳ２１０へ進む。
起動ＯＫ信号を受信しないとステップＳ２１１へ進む。
【００８２】
＜ステップＳ２１０＞
負荷機器起動（手動）
起動ＯＫランプを点灯する。
負荷機器を手動で起動して機能モードにする。
【００８３】
＜ステップＳ２１１＞
Ｔｉｍｅｒ≧Ｔｍａｘ？
タイマーがタイムアップしたか判断する。
タイムアップするとステップＳ２１２へ進む。
タイムアップしないとステップＳ２０９へ進む。
【００８４】
＜ステップＳ２１２＞
Ａｌｅｒｍ送信
アラームを出す。
【００８５】
次に、本発明の第二の実施形態に係る負荷機器と電源機器を、図を基に、説明する
図５は、本発明の第二の実施形態に係る負荷機器と電源機器の概念図である。図６は、本発明の第二の実施形態に係る負荷機器と電源機器の制御フローチャート図である。
【００８６】
負荷機器１００は、電源機器２００から電力を給電される機器である。
電源機器２００は、電源回路２１０と電源コントロールユニット２２０と通信手段２３０とで構成される。
負荷機器１００は、負荷機器本体１１０と負荷コントロールユニット１２０とで構成される。
負荷機器１００は、互いに対応づけられる負荷機器本体１１０と負荷コントロールユニット１２０とで構成されてもよい。
【００８７】
負荷機器本体１１０は、運転モードを機能モード、又は待機モードのうちのどちらか一方にすることをできる。
機能モードは、電力を消費して所定の機能を発揮できる運転モードである。
待機モードは、電力をほとんど若しくは全く消費しない運転モードである。
最大消費電力値が、運転モードが機能モードであるときに消費する最大の電力値である。
【００８８】
負荷コントローユニット１２０は、電源コントロールユニット２２０と通信手段２３０を介して通信可能である。
負荷コントロールユニット１２０が、通信手段２３０を介して電源コントロールユニット２２０に最大消費電力値に対応する最大消費値を送信する。
負荷コントロールユニット１２０が、電源回路２１０に導通されたときに、通信手段２３０を介して電源コントロールユニット２２０に最大消費電力値に対応する最大消費値を送信してもよい。
または、負荷コントロールユニット１２０が、電源回路２１０に導通され負荷機器本体１１０の主スイッチをオンされたときに、通信手段２３０を介して電源コントロールユニット２２０に最大消費電力値に対応する最大消費値を送信してもよい。
例えば、負荷機器本体が主スイッチをオンされても機能モードにならず特定の操作をうけたときに機能モードになるものであるときに、負荷コントロールユニット１２０が、電源回路２１０に導通された負荷機器本体１１０の主スイッチをオンされたときに、通信手段２３０を介して電源コントロールユニット２２０に最大消費電力値に対応する最大消費値を送信する。
【００８９】
負荷コントロールユニット１２０が、電源コントロールユニット２２０から起動ＯＫ信号、又は起動ＮＧ信号のうちのどちらか一方の信号を受信して、起動ＯＫ信号を受信するときに負荷機器本体１１０の運転モードを機能モードにすることを許可し、起動ＮＧ信号を受信するときに負荷機器本体１１０の運転モードを待機モードにすることを要求してもよい。
【００９０】
負荷コントロールユニット１２０が、電源コントロールユニット２２０から起動ＯＫ信号、又は起動ＮＧ信号のうちのどちらか一方の信号を受信して、起動ＯＫ信号を受信するときに負荷機器本体１１０の運転モードを機能モードにし、起動ＮＧ信号を受信するときに負荷機器本体１１０の運転モードを待機モードにしてもよい。
【００９１】
負荷コントロールユニット１２０の構成は、第一の実施形態にかかる負荷機器のものとおなじなので、説明を省略する。
【００９２】
電源機器２００は、単数または複数の負荷機器に各々に電力を給電できる機器である。
電源機器２００は、電源回路２１０と通信手段２３０と電源コントロールユニット２２０とで構成される。
電源機器２００は、電源回路２１０と通信手段２３０と電源コントロールユニット２２０と電流計２４０とで構成されてもよい。
【００９３】
電源回路２１０は、主幹ブレーカ２１１と単数または複数の分岐ブレーカ２１２とそれらを導通する回路線とで構成される。
単数または複数の分岐コントロールユニット２２２は、主幹ブレーカ２１１の下流に設けられる。
上述した単数または複数の負荷機器１００は、単数または複数の分岐ブレーカ２１２のうちのどれかの分岐ブレーカ２１２の下流に設けられる。
特に、分岐ブレーカ２１２のうちの特定の分岐ブレーカ２１２の下流に設けられる分岐ブレーカ２１２を、下位分岐ブレーカ２１３と呼称する。
【００９４】
例えば、電源回路２１０は、１つの主幹ブレーカ２１１と２つの分岐ブレーカ２１２とそれらを導通する回路線とで構成される。
２つの分岐ブレーカ２１２は１つの主幹ブレーカ２１１の下流に設けられる。
単数または複数の負荷機器１００が、１つの分岐ブレーカ２１２の下流に設けられる。
他の単数または複数の負荷機器１００が、他の１つの分岐ブレーカ２１２の下流に設けられる。
【００９５】
電源コントロールユニット２２０は、電源機器２００がオーバーロードすることを未然に防ぎ、電源を遮断しない様にするための電気機器である。
例えば、電源コントロールユニット２２０は、電源機器２００に過電流が流れることを未然に防ぎ、電源を遮断しない様にするための電気機器である。
電源コントロールユニット２２０は、負荷コントロールユニット１２０と通信手段２３０を介して通信可能である。
電源コントロールユニット２２０は、単数または複数の負荷コントロールユニット１２０から、負荷コントロールユニット１２０の負荷機器１００の最大消費電力値に対応する最大消費値を受信する。
電源コントロールユニット２２０は、単数または複数の負荷コントロールユニット１２０に起動ＯＫ信号または起動ＮＧ信号のうちの一方の信号を送信する。
【００９６】
電源コントロールユニット２２０は、主幹コントロールユニット２２１と単数または複数の分岐コントロールユニット２２２とで構成されてもよい。
例えば、電源コントロールユニット２２０は、１つの主幹コントロールユニット２２１と２つの分岐コントロールユニット２２２とで構成される。
１つの主幹コントロールユニット２２１は、１つの主幹ブレーカ２１１に対応し、１つの主幹ブレーカ２１１から電力を給電される。
２つの分岐コントロールユニット２２２は、２つの分岐ブレーカ２１２に各々に対応し、２つの分岐ブレーカ２１２から電力を各々に給電される。
【００９７】
主幹コントロールユニット２２１と分岐コントロールユニット２２２との構成は、第一の実施形態にかかる電源機器の  電源コントロールユニット２２０のものの構成と同じなので、説明を省略する。
【００９８】
通信手段２３０は、電源コントロールユニット２２０と負荷コントロールユニット１２０との通信を可能にする手段である。
例えば、通信手段２３０は、回路線に通信信号を重畳することにより行う電力線搬送通信方式を採用したものである。
【００９９】
通信手段２３０は、主幹コントロールユニット２２１と分岐コントロールユニット２２と負荷コントロールユニット１２０との間の互いの通信を可能とする手段である。
【０１００】
電流計２４０は、電源回路２１０を流れる電流を測定できる電気要素である。
電流計２４０は、主幹ブレーカ電流計２４１と単数または複数の分岐ブレーカ電流計２４２とで構成される。
電流計２４０は、主幹ブレーカ電流計２４１と単数または複数の分岐ブレーカ電流計２４２と下位分岐ブレーカ電流計２４３とで構成されてもよい。
主幹ブレーカ電流計２４１は、主幹ブレーカ２１１を現に流れる電流を測定する。
分岐ブレーカ電流計２４２は、分岐ブレーカ２１２に現に流れる電流を測定する。
下位分岐ブレーカ電流計２４３は、下位分岐ブレーカ２１３に現に流れる電流を測定する。
【０１０１】
電流計２４０は、主幹ブレーカ電流計２４１と単数または複数の分岐ブレーカ電流計２４２とで構成される。
例えば、電流計２４０は、１つの主幹ブレーカ電流計２４１と２つの分岐ブレーカ電流計２４２とで構成される。
１つの主幹ブレーカ電流計２４１は、１つの主幹ブレーカ２１１を現に流れる電流値を計測する。
２つの分岐ブレーカ電流計２４２は、２つの分岐ブレーカ２１２を現に流れる電流値を各々に計測する。
【０１０２】
電源コントロールユニット２２０が、複数の負荷機器１００に優先順位をつける。
電源コントロールユニット２２０が、複数の負荷機器１００に複数の負荷機器１００の各々の複数の負荷コントロールユニット１２０を認識する順番に応じて優先順位をつけてもい。
電源コントロールユニット２２０が、例外として、複数の負荷機器１００のうちの運転モードを機能モードから待機モードに変えたときに機能を低下させるがその他に不都合を生じさせない単数または複数の負荷機器の優先順位を他の負荷機器の優先順位より下げてもよい。
例えば、空調装置、冷蔵庫、等が、運転モードを機能モードから待機モードに変えたときに機能を低下させるがその他に不都合を生じさせない単数または複数の負荷機器に相当する場合がある。
【０１０３】
電源コントロールユニット２２０が、複数の負荷機器１００のうちの全部または一部の単数または複数の負荷機器１００である単数または複数の特定負荷機器１００の一群に対応して、単数または複数の特定負荷機器１００に同時に給電できる最大の電力量である最大許容電力値に対応する最大許容値を設定する。
【０１０４】
電源回路２１０が主幹ブレーカ２１１と主幹ブレーカ２１１の下流に直接に設けられた単数または複数の分岐ブレーカ２１２とを有する場合に、
電源コントロールユニット２２０は、単数または複数の分岐ブレーカ２１２のうちの特定の１つの分岐ブレーカ２１２である特定分岐ブレーカ２１２の下流に接続された単数又は複数の負荷機器１００である単数又は複数の特定負荷機器１００の一群に対応して、特定分岐ブレーカ２１２の定格電力値、または主幹ブレーカ２１１の定格電力値から主幹ブレーカ２１１に現に流れる電力値を差し引いて得た電力値に特定分岐ブレーカ２１２に現に流れる電力値を加算して得た電力値のうちの小さい方の電力値を最大許容電力値として設定してもよい。
ここで、定格電力値は、定格電流値に対応する値である。
【０１０５】
例えば、主幹コントロールユニット２２１は、単数または複数の分岐ブレーカ２１２のうちの特定の１つの分岐ブレーカ２１２である特定分岐ブレーカ２１２の下流に接続された単数又は複数の負荷機器１００である単数又は複数の特定負荷機器１００の一群に対応して、特定分岐ブレーカ２１２の定格電力値、または主幹ブレーカ２１１の定格電力値から主幹ブレーカ２１１に現に流れる電力値を差し引いて得た電力値に特定分岐ブレーカ２１２に現に流れる電力値を加算して得た電力値のうちの小さい方の電力値を最大許容電力値として設定する。
【０１０６】
電源コントロールユニット２２０が、通信手段２３０を介して単数又は複数の特定負荷機器１００に各々に対応する単数又は複数の負荷コントロールユニット１２０である単数又は複数の特定負荷コントロールユニット１２０から特定負荷コントロールユニット１２０の負荷機器１００の最大消費電力値に対応する最大消費値を各々に受信する。
例えば、最大消費電流値が、負荷機器１００の最大消費電力値に対応する最大消費値に相当する。
【０１０７】
例えば、主幹コントロールユニット２２１が、通信手段２３０を介して単数又は複数の特定負荷機器１００に各々に対応する単数又は複数の負荷コントロールユニット１２０である単数又は複数の特定負荷コントロールユニット１２０から特定負荷コントロールユニット１２０の負荷機器１００の最大消費電力値に対応する最大消費値を各々に受信する。
【０１０８】
電源コントロールユニット２２０が、複数の最大消費電力値の各々の最大消費電力値を優先順位の順に加算し、加算して得た合計値が最大許容電力値より小さいときに加算した単数または複数の最大消費電力値を送信した単数または複数の特定負荷コントロールユニット１２０に起動ＯＫ信号を送信し、加算して得た合計値が最大許容電力値より大きくなったときに最後に加算した最大消費電力値を送信した特定負荷コントロールユニット１２０と加算しなかった最大消費電力値を送信した単数または複数の特定負荷コントロールユニット１２０とに起動ＮＧ信号を送信する。
【０１０９】
電源コントロールユニット２２０が主幹ブレーカ２１１に対応する主幹コントロールユニット２２１と単数または複数の分岐ブレーカ２１２に各々に対応する単数または複数の分岐コントロールユニット２２２とを有する場合に、
主幹コントロールユニット２２１が単数または複数の特定負荷機器１００の一群に対して最大許容電力値を設定し、単数または複数の分岐コントロールユニット２２２が、対応する単数または複数の分岐ブレーカ２１２の下流に各々に直接に設けられる単数または複数の負荷機器１００の各々の単数又は複数の負荷コントロールユニット１２０に通信手段２３０を介して起動ＯＫ信号または起動ＮＧ信号のうちの一方を送信してもよい。
【０１１０】
以下に、第二の実施形態にかかる負荷機器と電源機器の制御ロジックを説明する。
【０１１１】
制御ロジックが解決する方法は以下の通り。
１）ブレーカおよび負荷機器が相互に通信する機能と持つ。
２）ブレーカおよび負荷機器は自らの動作を制御する機能を持つ。
３）ブレーカの電流遮断機能は現在一般に使われている構造と同じとし、過電流発生時の安全性を低下させない。
４）通信経路として電力線を使用する。
【０１１２】
制御ロジックの実施方法は、以下の通り。
１）初期状態
負荷機器１００が接続されない状態を説明する。
主幹ブレーカ（ＭＢ）２１１は上位系統に接続され、上位系統から電力の供給を受ける。主幹ブレーカ（ＭＢ）２１１を流れる電流は主幹ブレーカ電流計（ＭＡ）２４１で常時計測し、通信手段により主幹コントロールユニット（ＣＵＭ）２２１に送られる。
主幹コントロールユニット（ＣＵＭ）２２１は通信手段により通信の上位系統に接続しても良い。
主幹ブレーカ電流計（ＭＡ）２４１および主幹コントロールユニット（ＣＵＭ）２２１に必要な電力は主幹ブレーカ（ＭＢ）２１１から供給される。初期状態では主幹ブレーカ（ＭＢ）２１１のスイッチはＯＦＦに設定されている。
分岐ブレーカ（ＵＢ１、ＵＢ２）２１２は主幹ブレーカ（ＭＢ）２１１に接続され、主幹ブレーカ（ＭＢ）２１１を経由して電力の供給を受ける。
分岐ブレーカ（ＵＢ１、ＵＢ２）２１２を流れる電流はそれぞれ電流計（ＵＡ１、ＵＡ２）２４２で常時計測し、通信手段により分岐コントロールユニット（ＣＵＵ１、ＣＵＵ２）２２２に送られる。
分岐コントロールユニット（ＣＵＵ１、ＣＵＵ２）２２２は通信手段により主幹コントロールユニット（ＣＵＭ）２２１に接続される。
分岐ブレーカ電流計（ＵＡ１、ＵＡ２）２４２および分岐コントロールユニット（ＣＵＵ１、ＣＵＵ２）２２２に必要な電力は各々の分岐ブレーカ（ＵＢ１、ＵＢ２）２１２から供給される。初期状態では分岐ブレーカ（ＵＢ１、ＵＢ２）２１２のスイッチはＯＦＦに設定されている。
【０１１３】
２）負荷接続状態
負荷機器１００が接続された状態を説明する。
主幹ブレーカ（ＭＢ）２１１のスイッチをＯＮにし、配下に電力を供給可能とすると共に主幹コントロールユニット（ＣＵＭ）２２１、主幹ブレーカ電流計（ＭＡ）２４１に電力を供給し稼動状態とする。
分岐ブレーカ（ＵＢ１）２１２から負荷機器本体（ＬＥ１１）１１０に電力が供給されるよう接続されている。
負荷機器本体（ＬＥ１１）１１０は負荷コントロールユニット（ＣＵＥ１１）１２０を持ち、通信手段２３０により分岐コントロールユニット（ＣＵＵ１）２２２に接続されている。負荷コントロールユニット（ＣＵＥ１１）１２０はコンセントが接続された時点で負荷機器本体（ＬＥ１１）１１０がＯＦＦでも稼働状態となる。
分岐ブレーカ（ＵＢ１）２１２のスイッチをＯＮに設定する。
分岐ブレーカ（ＵＢ１）２１２の分岐ブレーカ定格電流値Ｉｍａｘ（ＵＢ１）と負荷機器本体（ＬＥ１１）１１０の最大消費電流Ｉｍａｘ（ＬＥ１１）の関係は  以下のとおりである。
Ｉｍａｘ（ＵＢ１）≧Ｉｍａｘ（ＬＥ１１）  
分岐ブレーカ（ＵＢ２）２１２から負荷機器本体（ＬＥ２１）１１０に電力が供給されるよう接続されている。
負荷機器本体（ＬＥ２１）１１０は負荷コントロールユニット（ＣＵＥ２１）１２０を持ち、通信手段により分岐コントローユニット（ＣＵＵ２）２２２に接続されている。
負荷コントロールユニット（ＣＵＥ２１）１２０はコンセントが接続された時点で負荷機器本体（ＬＥ２１）１１０がＯＦＦでも稼働状態となる。
分岐ブレーカ（ＵＢ２）２１２のスイッチをＯＮに設定する。
一般に主幹ブレーカ（ＭＢ）２１１の主幹ブレーカ定格電流値と分岐ブレーカ（ＵＢ１、ＵＢ２）２１２の分岐ブレーカ定格電流値との関係は、負荷率を考慮して、以下の通りである。
Ｉｍａｘ（ＭＢ）＜ΣＩｍａｘ（ＵＢｉ）（ｉ＝１、２）  
ここで、Ｉｍａｘ（ブレーカ）＝ブレーカの定格電流値（Ａ）
【０１１４】
この状態において負荷機器本体（ＬＥ２１）１１０をＯＮにした場合の状態として以下の３ケースが有り得る。
［ケース１］  負荷機器本体（ＬＥ２１）１１０は動作可能
Ｉ（ＵＢ２）＝Ｉ（ＬＥ２１）≦Ｉｍａｘ（ＵＢ２）  
かつ  
Ｉｍａｘ（ＭＢ）≧Ｉ（ＭＢ）＝Ｉ（ＵＢ１）＋Ｉ（ＵＢ２）
［ケース２］  負荷機器本体（ＬＥ２１）１１０は動作不可
Ｉ（ＵＢ２）＝Ｉ（ＬＥ２１）＞Ｉｍａｘ（ＵＢ２）    
その結果、分岐ブレーカ（ＵＢ２）２１２の分岐ブレーカ定格電流値を超えるため動作不可である。
［ケース３］  負荷機器本体（ＬＥ２１）１１０は動作不可
Ｉ（ＵＢ２）＝Ｉ（ＬＥ２１）≦Ｉｍａｘ（ＵＢ２）
かつ  
Ｉｍａｘ（ＭＢ）＜Ｉ（ＭＢ）＝Ｉ（ＵＢ１）＋Ｉ（ＵＢ２）
その結果  主幹ブレーカ（ＭＢ）２１１の主幹ブレーカ定格電流値を超えるため動作不可である。
【０１１５】
以下に、第二の実施形態にかかる負荷機器と電源機器の作用を、フローチャートに則して、詳述する。
図６は、本発明の第一の実施形態に係る負荷機器と電源機器の制御フローチャート図である。
最初に、電源コントロールユニット２２０の手続きを説明する。
図６の左図は、電源コントロールユニット２２０の手続き（Ｓ３００〜Ｓ３０９）を示す。
【０１１６】
＜ステップＳ３００＞
主幹ブレーカ（ＭＢ）２１１の制御フローを開始する。
【０１１７】
＜ステップＳ３０１＞
主幹ブレーカ（ＭＢ）２１１を手動でＯＮ（電力供給可能状態）にする。
【０１１８】
＜ステップＳ３０２＞
主幹コントロールユニット（ＣＵＭ）２２１内のＲＯＭに記録された主幹ブレーカ（ＭＢ）２１１の主幹ブレーカ定格電流値Ｉｍａｘ（ＭＢ）を読み出し、メモリに記憶する。
ＲＯＭに記録するＩｍａｘ（ＭＢ）は、主幹ブレーカ（ＭＢ）２１１に流すことができる最大電流から主幹コントロールユニット（ＣＵＭ）２２１および主幹ブレーカ電流計（ＭＡ）２４１の動作に必要な電流を差し引いた値である。
【０１１９】
＜ステップＳ３０３＞
主幹コントロールユニット（ＣＵＭ）２２１と分岐コントロールユニット（ＣＵＵｉ）２２２の通信を確立する。
ここで、ｉは分岐ブレーカ（ＵＢ）２１２の識別子を表す。（例えば、ｉ＝１〜２）
通信を確立する方法はどのような方法でも良い。
主幹コントロールユニット（ＣＵＭ）２２１が通信を確立できた分岐コントロールユニット（ＣＵＵｉ）２２２の台数を主幹ブレーカ（ＭＢ）２１１の下流に設けられる分岐ブレーカ（ＵＢ）２１２の台数ｎｕｂとしてメモリに記憶する。
【０１２０】
＜ステップＳ３０４＞
分岐コントロールユニット（ＣＵＵｉ）２２２から分岐ブレーカ定格電流値Ｉｍａｘ（ＵＢｉ）を取得し、メモリに記憶する。
【０１２１】
＜ステップＳ３０５＞
主幹ブレーカ（ＭＢ）２１１に現に流れる電流値Ｉ（ＭＢ）を主幹ブレーカ電流計（ＭＡ）２４１で計測し、メモリに記憶する。
【０１２２】
＜ステップＳ３０６＞
主幹ブレーカ（ＭＢ）２１１の下流に設けられる回路に供給できる電流は、以下の通り。
｛Ｉｍａｘ（ＭＢ）−Ｉ（ＭＢ）｝
負荷がない場合は  Ｉ（ＭＢ）＝０  であることから、供給できる電流はＩｍａｘ（ＭＢ）となる。
この電流は主幹ブレーカ（ＭＢ）２１１の下流に設けられるどの分岐ブレーカ（ＵＢｉ）２１２にも供給可能な電流である。
分岐ブレーカ（ＵＢｉ）２１２に供給できる電流は、以下の通り。
Ｉ（ＵＢｉ）＋｛Ｉｍａｘ（ＭＢ）−Ｉ（ＭＢ）｝
一方、分岐ブレーカ（ＵＢｉ）２１２が下流に供給できる電流値の最大値は定格電流値Ｉｍａｘ（ＵＢｉ）である。
従って、分岐ブレーカ（ＵＢｉ）２１２に供給できる電流である最大許容電流値は、以下の通り。
ｍｉｎ（Ｉｍａｘ（ＵＢｉ）、Ｉ（ＵＢｉ）＋｛Ｉｍａｘ（ＭＢ）−Ｉ（ＭＢ）｝）
主幹コントロールユニット（ＣＵＭ）２２１はすべての分岐ブレーカ（ＵＢｉ）２１２についてこの値を求め、最大許容電流値Ｉｍａｘ（ＵＢｉ）を分岐コントロールユニット（ＣＵＵｉ）２２２に送信する。
【０１２３】
＜ステップＳ３０７＞
主幹コントロールユニット（ＣＵＭ）２２１は分岐コントロールユニット（ＣＵＵｉ）２２２から分岐ブレーカ（ＵＢｉ）２１２の動作状態（ＯＮ／ＯＦＦ）の情報を取得し、主幹ブレーカ（ＭＢ）２１１の下流に設けられる全ての分岐ブレーカ（ＵＢｉ）２１２のうちのＯＮ（電力供給状態）となっている分岐ブレーカ（ＵＢｉ）２１２の台数ｍｕｂを求めメモリに記憶する。
【０１２４】
＜ステップＳ３０８＞
ｍｕｂ＝０の場合、主幹ブレーカ（ＭＢ）２１１をＯＦＦ（電力供給停止状態）にできることを表示により知らせる。
【０１２５】
＜ステップＳ３０９＞
ステップＳ３０５へ戻る。
【０１２６】
次に、分岐ブレーカの手続きを説明する。
図６の中央の図は、分岐ブレーカの手続き（Ｓ４００〜Ｓ４１３）を示す。
【０１２７】
＜ステップＳ４００＞
分岐ブレーカ（ＵＢｉ）２１２の制御フローを開始する。
【０１２８】
＜ステップＳ４０１＞
分岐ブレーカ（ＵＢｉ）２１２を手動でＯＮして、電力供給可能状態にする。
【０１２９】
＜ステップＳ４０２＞
主幹コントロールユニット（ＣＵＭ）２２１と分岐コントロールユニット（ＣＵＵｉ）２２２の通信を確立する（Ｓ３０３に対応する）。
【０１３０】
＜ステップＳ４０３＞
分岐コントロールユニット（ＣＵＵｉ）２２２内のＲＯＭに記録された分岐ブレーカ（ＵＢｉ）２１２の分岐ブレーカ定格電流値Ｉｍａｘ（ＵＢｉ）を読み出し、主幹コントロールユニット（ＣＵＭ）２２１に送信する。
ＲＯＭに記録するＩｍａｘ（ＵＢｉ）は、分岐コントロールユニット（ＣＵＵｉ）２２２および分岐ブレーカ電流計（ＵＡｉ）２４２の動作に必要な電流を加えた値とする。
【０１３１】
＜ステップＳ４０４＞
分岐ブレーカ（ＵＢｉ）２１２に現に流れる電流値Ｉ（ＵＢｉ）を分岐ブレーカ電流計（ＵＡｉ）２４２で計測し、分岐コントロールユニット（ＣＵＵｉ）２２２のメモリに記憶する。
【０１３２】
＜ステップＳ４０５＞
電流値Ｉ（ＵＢｉ）を主幹コントロールユニット（ＣＵＭ）２２１に送信する。（Ｓ３０６に対応する）。
【０１３３】
＜ステップＳ４０６＞
主幹コントロールユニット（ＣＵＭ）２２１から最大許容電流値Ｉｍａｘ（ＵＢｉ）を受信し、分岐コントロールユニット（ＣＵＵｉ）２２２のメモリに記憶する（Ｓ３０６に対応する）。
これ以降、最大許容電流値Ｉｍａｘ（ＵＢｉ）を利用し、分岐コントロールユニット（ＣＵＵｉ）２２２内のＲＯＭに記憶された定格電流値Ｉｍａｘ（ＵＢｉ）の初期値は利用しない。
【０１３４】
＜ステップＳ４０７＞
分岐ブレーカ（ＵＢｉ）２１２の動作状態（ＯＮ／ＯＦＦ）の情報を主幹コントロールユニット（ＣＵＭ）２２１に送信する（Ｓ３０７に対応する）。
【０１３５】
＜ステップＳ４０８＞
分岐コントロールユニット（ＣＵＵｉ）２２２と分岐ブレーカ（ＵＢｉ）２１２の下流に設けられた負荷機器本体（ＬＥｉｊ）１１０の負荷コントロールユニット（ＣＵＥｉｊ）１２０との通信を確立する。
ここで、ｊは負荷機器ＬＥの識別子を表す。例えば、ｉ＝１である。
分岐コントロールユニット（ＣＵＵｉ）２２２が通信を確立できた負荷コントロールユニット（ＣＵＥｉｊ）１２０の台数を分岐ブレーカ（ＵＢｉ）２１２の下流に設けられるＬＥの台数ｎｅ１としてメモリに記憶する。
【０１３６】
＜ステップＳ４０９＞
負荷コントロールユニット（ＣＵＥｉｊ）１２０から最大消費電流値Ｉｍａｘ（ＬＥｉｊ）を取得し、メモリに記憶する。
【０１３７】
＜ステップＳ４１０＞
起動可能な負荷機器本体（ＬＥｉｊ）１１０の台数ｎｅ２に０を設定する。
【０１３８】
＜ステップＳ４１１＞
ｊを１からｎｅ１までインクリメントしながら以下の処理を行う。
Ｉｍａｘ（ＵＢｉ）とΣＩｍａｘ（ＬＥｉｊ）を比較する。
Ｉｍａｘ（ＵＢｉ）≧ΣＩｍａｘ（ＬＥｉｊ）の場合はｎｅ２を＋１し、「起動ＯＫ信号」を負荷コントロールユニット（ＣＵＥｉｊ）１２０に送信する。
Ｉｍａｘ（Ｂｉ）＜ΣＩｍａｘ（ＬＥｉｊ）の場合は「起動ＮＧ信号」を負荷コントロールユニット（ＣＵＥｉｊ）１２０に送信する。
【０１３９】
＜ステップＳ４１２＞
ｎｅ２＝０の場合、分岐ブレーカ（ＵＢｉ）２１２をＯＦＦ（電力供給停止状態）にできることを表示により知らせる。
【０１４０】
＜ステップＳ４１３＞
ステップＳ４０４へ戻る。
【０１４１】
次に、負荷コントロールユニット１２０の手続きを説明する。
図６の右図は、負荷コントロールユニット１２０の手続き（Ｓ５００〜Ｓ５０９）を示す。
【０１４２】
＜ステップＳ５００＞
負荷機器（ＬＥｉｊ）１００の制御フローを開始する。
【０１４３】
＜ステップＳ５０１＞
負荷機器（ＬＥｉｊ）１００を分岐ブレーカ（ＵＢｉ）２１２の下流に設けられるコンセントに手動で接続する。
【０１４４】
＜ステップＳ５０２＞
分岐コントロールユニット（ＣＵＵｉ）２２２と負荷コントロールユニット（ＣＵＥｉｊ）１２０の通信を確立する（ステップＳ４０８に対応する）。
【０１４５】
＜ステップＳ５０３＞
負荷コントロールユニット（ＣＵＥｉｊ）１２０内のＲＯＭに記録された負荷機器本体（ＬＥｉｊ）１１０の最大消費電流値Ｉｍａｘ（ＬＥｉｊ）を読み出し、分岐コントロールユニット（ＣＵＵｉ）２２２に送信する（Ｓ４０９に対応する）。
ＲＯＭに記録するＩｍａｘ（ＬＥｉｊ）は、負荷機器本体（ＬＥｉｊ）１１０の動作に必要な最大電流に負荷コントロールユニット（ＣＵＥｉｊ）１２０の動作に必要な電流を加えた値とする。
【０１４６】
＜ステップＳ５０４＞
分岐コントロールユニット（ＣＵＵｉ）２２２から起動可否の情報を受信する（Ｓ４１１に対応する）。
【０１４７】
＜ステップＳ５０５＞
「起動ＯＫ信号」を受信したとき、負荷機器本体（ＬＥｉｊ）１１０を起動できることを表示により知らせる。
起動ＯＫランプを点灯する。
ステップＳ５０７へ進む。
【０１４８】
＜ステップＳ５０６＞
「起動ＮＧ信号」を受信したとき、負荷機器本体（ＬＥｉｊ）１１０を起動できないことを表示により知らせる。
起動ＮＧランプを点灯する。
ステップＳ５０４へ戻る。
【０１４９】
＜ステップＳ５０７＞
負荷機器本体（ＬＥｉｊ）１１０を手動で起動する。
【０１５０】
＜ステップＳ５０８＞
負荷機器本体（ＬＥｉｊ）１１０を手動で停止する。
【０１５１】
＜ステップＳ５０９＞
負荷機器本体（ＬＥｉｊ）１１０のコンセントを引く抜く。
【０１５２】
次に、本発明の第三の実施形態に係る負荷機器と電源機器を、図を基に、説明する
図７は、本発明の第三の実施形態に係る負荷機器と電源機器の概念図である。図８は、本発明の第三の実施形態に係る負荷機器と電源機器の制御フローチャート図である。
【０１５３】
負荷機器１００は、電源機器２００から電力を給電される機器である。
電源機器２００は、電源回路２１０と電源コントロールユニット２２０と通信手段２３０とで構成される。
負荷機器１００は、負荷機器本体１１０と負荷コントロールユニット１２０とで構成される。
負荷機器１００は、互いに対応づけられる負荷機器本体１１０と負荷コントロールユニット１２０とで構成されてもよい。
【０１５４】
負荷機器本体１１０は、運転モードを機能モード、又は待機モードのうちのどちらか一方にすることをできる。
機能モードは、電力を消費して所定の機能を発揮できる運転モードである。
待機モードは、電力をほとんど若しくは全く消費しない運転モードである。
最大消費電力値は、運転モードが機能モードであるときに消費する最大の電力値である。
【０１５５】
負荷コントローユニット１２０は、電源コントロールユニット２２０と通信手段２３０を介して通信可能である。
負荷コントロールユニット１２０が、通信手段２３０を介して電源コントロールユニット２２０に最大消費電力値に対応する最大消費値を送信する。
負荷コントロールユニット１２０が、電源回路２１０に導通されたときに、通信手段２３０を介して電源コントロールユニット２２０に最大消費電力値に対応する最大消費値を送信してもよい。
または、負荷コントロールユニット１２０が、電源回路２１０に導通され負荷機器本体１１０の主スイッチをオンされたときに、通信手段２３０を介して電源コントロールユニット２２０に最大消費電力値に対応する最大消費値を送信してもよい。
例えば、負荷機器本体が主スイッチをオンされても機能モードにならず特定の操作をうけたときに機能モードになるものであるときに、負荷コントロールユニット１２０が、電源回路２１０に導通された負荷機器本体１１０の主スイッチをオンされたときに、通信手段２３０を介して電源コントロールユニット２２０に最大消費電力値に対応する最大消費値を送信する。
【０１５６】
負荷コントロールユニット１２０が、電源コントロールユニット２２０から起動ＯＫ信号、又は起動ＮＧ信号のうちのどちらか一方の信号を受信して、起動ＯＫ信号を受信するときに負荷機器本体１１０の運転モードを機能モードにすることを許可し、起動ＮＧ信号を受信するときに負荷機器本体１１０の運転モードを待機モードにすることを要求してもよい。
例えば、負荷コントロールユニット１２０が、電源コントロールユニット２２０から起動ＯＫ信号、又は起動ＮＧ信号のうちのどちらか一方の信号を受信して、起動ＯＫ信号を受信するときに負荷機器本体１１０の運転モードを機能モードにすることを許可する起動ＯＫランプを点灯し、起動ＮＧ信号を受信するときに負荷機器本体１１０の運転モードを待機モードにすることを要求する起動ＮＧランプを点灯する。
【０１５７】
負荷コントロールユニット１２０が、電源コントロールユニット２２０から起動ＯＫ信号、又は起動ＮＧ信号のうちのどちらか一方の信号を受信して、起動ＯＫ信号を受信するときに負荷機器本体１１０の運転モードを機能モードにし、起動ＮＧ信号を受信するときに負荷機器本体１１０の運転モードを待機モードにしてもよい。
【０１５８】
負荷コントロールユニット１２０の構成は、第一の実施形態にかかる負荷機器のものと同じなので、説明を省略する。
【０１５９】
電源機器２００は、単数または複数の負荷機器１００に各々に電力を給電できる機器である。
電源機器２００は、電源回路２１０と通信手段２３０と電源コントロールユニット２２０とで構成される。
電源機器２００は、電源回路２１０と通信手段２３０と電源コントロールユニット２２０と電流計２４０とで構成されてもよい。
【０１６０】
電源回路２１０は、主幹ブレーカ２１１と単数または複数の分岐ブレーカ２１２とそれらを導通する回路線とで構成される。
単数または複数の分岐コントロールユニット２２１は、主幹ブレーカの下流に設けられる。
上述した単数または複数の負荷機器１００は、単数または複数の分岐ブレーカ２１２のうちのどれかの分岐ブレーカ２１２の下流に設けられる。
分岐ブレーカ２１２のうちの他の分岐ブレーカ２１２の下流に設けられる分岐ブレーカ２１２を、特に下位分岐ブレーカ２１３と呼称して区別する。
【０１６１】
電源コントロールユニット２２０は、電源機器２００がオーバーロードすることを未然に防ぐことにより電源を遮断しない様にするための電気機器である。
電源コントロールユニット２２０は、負荷コントロールユニット１２０と通信手段２３０を介して通信可能である。
電源コントロールユニット２２０は、単数または複数の負荷コントロールユニット１２０から、負荷コントロールユニット１２０の負荷機器１００の最大消費電力値に対応する最大消費値を受信する。
電源コントロールユニット２２０は、単数または複数の負荷コントロールユニット１２０に起動ＯＫ信号または起動ＮＧ信号のうちの一方の信号を送信する。
【０１６２】
主幹コントロールユニット２２１、分岐コントロールユニット２２２、又は下位分岐コントロールユニット２２３の構成は、第一の実施形態にかかる電源機器の電源コントロールユニットの構成と同じなので、説明を省略する。
【０１６３】
通信手段２３０は、電源コントロールユニット２２０と負荷コントロールユニット１２０との通信を可能にする手段である。
例えば、通信手段は回路線に通信信号を重畳することにより行う電力線搬送通信方式を採用したものである。
【０１６４】
電流計２４０は、電源回路２１０を流れる電流を測定できる電気要素である。
電流計２４０は、主幹ブレーカ電流計２４１と単数または複数の分岐ブレーカ電流計２４２とで構成される。
電流計２４０は、主幹ブレーカ電流計２４１と単数または複数の分岐ブレーカ電流計２４２と下位分岐ブレーカ電流計２４３とで構成されてもよい。
主幹ブレーカ電流計２４１は、主幹ブレーカ２１１を現に流れる電流を測定する。
分岐ブレーカ電流計２４２は、分岐ブレーカ２１２に現に流れる電流を測定する。
下位分岐ブレーカ電流計２４３は、下位分岐ブレーカ２１３に現に流れる電流を測定する。
【０１６５】
電源コントロールユニット２２０が、複数の負荷機器１００に優先順位をつける。
電源コントロールユニット２２０が、複数の負荷機器１００に複数の負荷機器１００の各々の複数の負荷コントロールユニット１２０を認識する順番に応じて優先順位をつけてもい。
電源コントロールユニット２２０が、例外として、複数の負荷機器１００のうちの運転モードを機能モードから待機モードに変えたときに機能を低下させるがその他に不都合を生じさせない単数または複数の負荷機器の優先順位を他の負荷機器の優先順位より下げてもよい。
【０１６６】
電源コントロールユニット２２０が、複数の負荷機器１００のうちの全部または一部の単数または複数の負荷機器１００である単数または複数の特定負荷機器１００の一群に対応して、単数または複数の特定負荷機器１００に同時に給電できる最大の電力量である最大許容電力値に対応する最大許容値を設定する。
【０１６７】
電源回路２１０が主幹ブレーカ２１１と主幹ブレーカ２１１の下流に直接に設けられた単数または複数の分岐ブレーカ２１２とを有する場合に、
電源コントロールユニット２２０は、単数または複数の分岐ブレーカ２１２のうちの特定の１つの分岐ブレーカ２１２である特定分岐ブレーカ２１２の下流に接続された単数又は複数の負荷機器１００である単数又は複数の特定負荷機器１００の一群に対応して、特定分岐ブレーカ２１２の定格電力値、または主幹ブレーカ２１１の定格電力値から主幹ブレーカ２１１に現に流れる電力値を差し引いて得た電力値に特定分岐ブレーカ２１２に現に流れる電力値を加算して得た電力値のうちの小さい方の電力値を最大許容電力値として設定してもよい。
【０１６８】
電源回路２１０が主幹ブレーカ２１１と主幹ブレーカ２１１の下流に直接設けられた単数又は複数の分岐ブレーカ２１２と単数又は複数の分岐ブレーカ２１２のうちの特定の一つの分岐ブレーカ２１２である特定分岐ブレーカ２１２の下流に直接に設けられた単数又は複数の下位分岐ブレーカ２１３を有する場合に、
電源コントロールユニット２２０が、単数又は複数の下位分岐ブレーカ２１３のうちの特定の一つの特定下位分岐ブレーカ２１３の下流に接続された単数または複数の負荷機器１００である単数または複数の特定下位負荷機器１００ａの一群に対応して、特定下位分岐ブレーカ２１３の上流に設けられた分岐ブレーカ２１２の定格電力値から特定下位分岐ブレーカ２１３の上流に設けられた分岐ブレーカ２１２の下流に直接に接続され起動ＯＫ信号を送信した単数又は複数の負荷機器１００に各々に対応して設定された単数又は複数の最大消費電力値の総合計値を差し引いて得た電力値に特定下位分岐ブレーカ２１３に現に流れる電力値を加算して得た電力値と特定下位分岐ブレーカ２１３の定格電力値とのうちの少ない値を最大許容電力値である下位最大許容電力量として設定してもよい。
【０１６９】
電源コントロールユニット２２０が、通信手段２３０を介して単数又は複数の特定負荷機器１００に各々に対応する単数又は複数の負荷コントロールユニット１２０である単数又は複数の特定負荷コントロールユニット１２０から特定負荷コントロールユニット１２０の負荷機器１００の最大消費電力値に対応する最大消費値を各々に受信する。
【０１７０】
電源コントロールユニット２２０が、複数の最大消費電力値の各々の最大消費電力値を優先順位の順に加算し、加算して得た合計値が最大許容電力値より小さいときに加算した単数または複数の最大消費電力値を送信した単数または複数の特定負荷コントロールユニット１２０に起動ＯＫ信号を送信し、加算して得た合計値が最大許容電力値より大きくなったときに最後に加算した最大消費電力値を送信した特定負荷コントロールユニット１２０と加算しなかった最大消費電力値を送信した単数または複数の特定負荷コントロールユニット１２０とに起動ＮＧ信号を送信する。
例えば、電源コントロールユニット２２０が、複数の最大消費電力値の各々の最大消費電力値を優先順位に従って優先度の高い順に加算し、加算して得た合計値が最大許容電力値より小さいときに加算した単数または複数の最大消費電力値を送信した単数または複数の特定負荷コントロールユニット１２０に起動ＯＫ信号を送信し、加算して得た合計値が最大許容電力値より大きくなったときに最後に加算した最大消費電力値を送信した特定負荷コントロールユニット１２０と加算しなかった最大消費電力値を送信した単数または複数の特定負荷コントロールユニット１２０とに起動ＮＧ信号を送信する。
【０１７１】
電源コントロールユニット２２０が主幹ブレーカ２１１に対応する主幹コントロールユニット２２１と単数または複数の分岐ブレーカ２１２に各々に対応する単数または複数の分岐コントロールユニット２２２とを有する場合に、主幹コントロールユニット２２１が単数または複数の特定負荷機器１００の一群に対して最大許容電力値を設定し、単数または複数の分岐コントロールユニット２２２が、対応する単数または複数の分岐ブレーカ２１２の下流に各々に直接に設けられる単数または複数の負荷機器１００の各々の単数又は複数の負荷コントロールユニット１２０に通信手段２３０を介して起動ＯＫ信号または起動ＮＧ信号のうちの一方を送信してもよい。
【０１７２】
電源コントロールユニット２２０が主幹ブレーカ２１１に対応する主幹コントロールユニット２２１と単数または複数の分岐ブレーカ２１２に各々に対応する単数または複数の分岐コントロールユニット２２２と単数又は複数の下位分岐ブレーカ２１３に対応する単数又は複数の下位分岐コントロールユニット２２３を有する場合に、主幹コントロールユニット２２１が、単数または複数の特定負荷機器１００の一群に対して最大許容電力値を設定し、分岐コントロールユニット２２２が、単数または複数の特定下位負荷機器１００ａの一群に対して下位最大許容電力値を設定し、単数または複数の分岐コントロールユニット２２２が、対応する単数または複数の分岐ブレーカ２１２の下流に各々に直接に設けられる単数または複数の負荷機器１００の各々の単数又は複数の負荷コントロールユニット１２０に通信手段２３０を介して起動ＯＫ信号または起動ＮＧ信号のうちの一方を送信し、単数又は複数の下位分岐コントロールユニット２２３が、対応する単数または複数の下位分岐ブレーカ２１３の下流に各々に直接に設けられる単数または複数の負荷機器１００ａの各々の単数又は複数の負荷コントロールユニット１２０ａに通信手段２３０を介して起動ＯＫ信号または起動ＮＧ信号のうちの一方を送信してもよい。
【０１７３】
次に、本発明の第三の実施形態にかかる負荷機器と電源機器の制御ロジックを、説明する。
制御ロジックは、分岐ブレーカの下流にさらに下位分岐ブレーカが存在する場合の手順を説明する。
【０１７４】
１）初期状態
負荷機器１００が接続されない状態を説明する。
主幹ブレーカ（ＭＢ）２１１は上位系統に接続され、上位系統から電力の供給を受ける。
主幹ブレーカ（ＭＢ）２１１に現に流れる電流値を主幹ブレーカ電流計（ＭＡ）２４１で常時計測し、通信手段２３０により主幹コントロールユニット（ＣＵＭ）２２１へ送られる。
主幹コントロールユニット（ＣＵＭ）２２１は通信手段により通信の上位系統に接続しても良い。
主幹ブレーカ電流計（ＭＡ）２４１および主幹コントロールユニット（ＣＵＭ）２２１に必要な電力が、主幹ブレーカ（ＭＢ）２１１から供給される。
初期状態では主幹ブレーカ（ＭＢ）２１１のスイッチはＯＦＦに設定されている。
上位分岐ブレーカ（ＵＢ１、ＵＢ２）２１２は主幹ブレーカ（ＭＢ）２１１に接続され、主幹ブレーカ（ＭＢ）２１１を経由して電力の供給を受ける。
分岐ブレーカ（ＵＢ１、ＵＢ２）２１２を流れる電流はそれぞれ分岐ブレーカ電流計（ＵＡ１、ＵＡ２）２４２で常時計測し、通信手段により分岐コントロールユニット（ＣＵＵ１、ＣＵＵ２）２２２に送られる。
分岐コントロールユニット（ＣＵＵ１、ＣＵＵ２）２２２は通信手段により主幹コントロールユニット（ＣＵＭ）２２１に接続される。
分岐ブレーカ電流計（ＵＡ１、ＵＡ２）２４２および分岐コントロールユニット（ＣＵＵ１、ＣＵＵ２）２２２の動作に必要な電力は分岐ブレーカ（ＵＢ１、ＵＢ２）２１２から供給される。初期状態では分岐ブレーカ（ＵＢ１、ＵＢ２）２１２のスイッチはＯＦＦに設定されている。
下位分岐ブレーカ（ＬＢ２１）２１３は、特定分岐ブレーカ（ＵＢ２）２１２に接続され、特定分岐ブレーカ（ＵＢ２）２１２を経由して電力の供給を受ける。
下位分岐ブレーカ（ＬＢ２１）２１３に現に流れる電流値は、下位分岐ブレーカ電流計（ＬＡ２１）２４３で常時計測され、通信手段により下位分岐コントロールユニット（ＣＵＬ２１）２２３に送られる。下位分岐コントロールユニット（ＣＵＬ２１）２２３は、通信手段２３０により分岐コントロールユニット（ＣＵＵ２）２２２に接続される。
下位分岐ブレーカ電流計（ＬＡ２１）２４３および下位分岐コントロールユニット（ＣＵＬ２１）２２３に必要な電力が、下位分岐ブレーカ（ＬＢ２１）２１３から供給される。初期状態では下位分岐ブレーカ（ＬＢ２１）２１３のスイッチはＯＦＦに設定されている。
【０１７５】
２）負荷接続状態
負荷機器１００が接続された状態を説明する。
主幹ブレーカ（ＭＢ）２１１のスイッチをＯＮにし、下流に電力を供給可能とすると共に主幹コントロールユニット（ＣＵＭ）２２１、主幹ブレーカ電流計（ＭＡ）２４１に電力を供給し稼働動状態とする。
分岐ブレーカ（ＵＢ１）２１２から負荷機器本体（ＬＥ１１）１１０に電力が供給されるよう接続されている。
負荷機器本体（ＬＥ１１）１１０は負荷コントロールユニット（ＣＵＥ１１）１２０を持ち、通信手段２３０により分岐コントロールユニット（ＣＵＵ１）２２２に接続されている。
負荷コントロールユニット（ＣＵＥ１１）１２０はコンセントが接続された時点で負荷機器本体（ＬＥ１１）１１０がＯＦＦでも稼働状態となる。
特定分岐ブレーカ（ＵＢ２）２１２から下位分岐ブレーカ（ＬＢ２１）２１３および負荷機器本体（ＬＥ２１）１１０に電力が供給されるよう接続されている。
下位分岐ブレーカ（ＬＢ２１）２１３のスイッチはＯＮである。
負荷機器本体（ＬＥ２１）１１０は負荷コントロールユニット（ＣＵＥ２１）１２０に対応し、通信手段により分岐コントロールユニット（ＣＵＵ２）２２２に接続されている。負荷コントロールユニット（ＣＵＥ２１）１２０はコンセントが接続された時点で負荷機器本体（ＬＥ２１）１１０がＯＦＦでも稼働状態となる。
下位分岐ブレーカ（ＬＢ２１）２１３から下位負荷機器本体（ＬＥ２１１）１１０ａに電力が供給されるよう接続されている。
下位負荷機器本体（ＬＥ２１１）１１０ａのスイッチはＯＦＦである。
下位負荷機器本体（ＬＥ２１１）１１０ａは、下位負荷コントロールユニット（ＣＵＥ２１１）１２０ａを持ち、通信手段により下位分岐コントロールユニット（ＣＵＬ２１）２２３に接続されている。
下位負荷コントロールユニット（ＣＵＥ２１１）１２０ａは、コンセントが接続された時点で、下位負荷機器本体（ＬＥ２１１）１１０ａがＯＦＦでも稼働状態となる。
一般に主幹ブレーカ（ＭＢ）２１１の主幹ブレーカ定格電流値と分岐ブレーカ（ＵＢ１、ＵＢ２）２１２の分岐ブレーカ定格電流値の関係は、負荷率を考慮して以下の通りである。
Ｉｍａｘ（ＭＢ）＜ΣＩｍａｘ（ＵＢｉ）（ｉ＝１、２）  
ここで、Ｉｍａｘ（ブレーカ）＝ブレーカの定格電流値（Ａ）
同様に特定分岐ブレーカ（ＵＢ２）２１２の分岐ブレーカ定格電流値と下位分岐ブレーカ（ＬＢ２１）２１３の分岐ブレーカ定格電流値の関係は、負荷率を考慮して、以下の通りである。
Ｉｍａｘ（ＵＢ２）＜ΣＩｍａｘ（ＬＢｉｊ）（ｊ＝１）
【０１７６】
この状態において下位負荷機器本体（ＬＥ２１１）１１０ａをＯＮにした場合の状態として以下の４ケースが有り得る。
［ケース１］  下位負荷機器本体（ＬＥ２１１）１１０ａは動作可能
Ｉ（ＬＢ２１）＝Ｉ（ＬＥ２１１）≦Ｉｍａｘ（ＬＢ２１）
かつ
Ｉｍａｘ（ＵＢ２）≧Ｉ（ＬＢ２１）＋Ｉ（ＬＥ２１）
かつ
Ｉｍａｘ（ＭＢ）≧Ｉ（ＭＢ）
［ケース２］  下位負荷機器本体（ＬＥ２１１）１１０ａは動作不可
Ｉ（ＬＢ２１）＝Ｉ（ＬＥ２１１）＞Ｉｍａｘ（ＬＢ２１）  
その結果、下位分岐ブレーカ（ＬＢ２１）２１３の定格電流値を超えるため動作不可である。
［ケース３］  下位負荷機器本体（ＬＥ２１１）１１０ａは動作不可
Ｉ（ＬＢ２１）＝Ｉ（ＬＥ２１１）≦Ｉｍａｘ（ＬＢ２１）
かつ
Ｉｍａｘ（ＵＢ２）＜Ｉ（ＬＢ２１）＋Ｉ（ＬＥ２１）  
その結果、  特定分岐ブレーカ（ＵＢ２）２１２の定格電流値を超えるため動作不可である。
［ケース４］  下位負荷機器本体（ＬＥ２１１）１１０ａは動作不可
Ｉ（ＬＢ２１）＝Ｉ（ＬＥ２１１）≦Ｉｍａｘ（ＬＢ２１）
かつ
Ｉｍａｘ（ＵＢ２）≧Ｉ（ＬＢ２１）＋Ｉ（ＬＥ２１）
かつ
Ｉｍａｘ（ＭＢ）＜Ｉ（ＭＢ）  
その結果、主幹ブレーカ（ＭＢ）２３１の定格電流値を超えるため動作不可である。
【０１７７】
以下に、第三の実施形態にかかる負荷機器と電源機器の作用を、フローチャートに則して、詳述する。
図８は、本発明の第三の実施形態に係る負荷機器と電源機器の制御フローチャート図である。
【０１７８】
最初に、電源コントロールユニット２２０の手続きは、第二の実施形態にかかる電源コントロールユニット２２０の手続きと同じなので、説明を省略する。
【０１７９】
次に、分岐コントロールユニット２２２の手続きを説明する。
図８の左から２番目の図は、分岐コントロールユニット２２２の手順（Ｓ４００〜Ｓ４２０）を示す。
【０１８０】
＜ステップＳ４００＞
分岐ブレーカ（ＵＢｉ）２１２の制御フローを開始する。
【０１８１】
ステップＳ４００からステップＳ４１１までの手続きは、第二の実施形態にかかる分岐コントロールユニットのステップＳ４００からステップＳ４１１までの手続きと同じなので、説明を省略する。
ステップＳ４１１からステップＳ４１４へ移動する。
【０１８２】
＜ステップＳ４１２＞
ｎｅ２＝０の場合、分岐ブレーカ（ＵＢｉ）２１２をＯＦＦ（電力供給停止状態）にできることを表示により知らせる。
【０１８３】
＜ステップＳ４１４＞
Ｉｍａｘ（ＵＢｉ）とΣＩｍａｘ（ＬＥｉｊ）を比較する。
Ｉｍａｘ（ＵＢｉ）≧ΣＩｍａｘ（ＬＥｉｊ）の場合、ステップＳ４１５へ進む。
Ｉｍａｘ（ＵＢｉ）＜ΣＩｍａｘ（ＬＥｉｊ）の場合、ステップＳ４１２へ進む。
その結果  上位ブレーカに負荷機器と下位ブレーカが接続された場合、負荷機器への電力供給を優先とする。
通常、同一階層に負荷機器と下位ブレーカを配置することは少ない。
【０１８４】
＜ステップＳ４１５＞
下位分岐ブレーカ（ＬＢｉｊ）２１３に供給できる電流値Ｉｒを求める。
電流値Ｉｒは、以下の通りである。
Ｉｒ＝Ｉｍａｘ（ＵＢｉ）−ΣＩｍａｘ（ＬＥｉｊ）
【０１８５】
＜ステップＳ４１６＞
分岐コントロールユニット（ＣＵＵｉ）２２２と分岐ブレーカ（ＵＢｉ）２１２の下流に設けられた下位分岐ブレーカ（ＬＢｉｊ）２１３の下位分岐コントロールユニット（ＣＵＬｉｊ）２３３との通信を確立する。
ここで、ｊは下位分岐ブレーカ（ＬＢ）の識別子を表す。例えば、ｊ＝１である。
分岐コントロールユニット（ＣＵＵｉ）２２２が通信を確立できた下位分岐コントロールユニット（ＣＵＬｉｊ）２２３の台数を分岐ブレーカ（ＵＢｉ）２１２の下流に設けられる下位分岐ブレーカ（ＬＢ）２１３の台数ｎｌｂとしてメモリに記憶する。
【０１８６】
＜ステップＳ４１７＞
下位分岐コントロールユニット（ＣＵＬｉｊ）２２３から定格電流値Ｉｍａｘ（ＬＢｉｊ）を取得し、メモリに記憶する。
【０１８７】
＜ステップＳ４１８＞
ステップＳ４１５で求めた電流値Ｉｒが分岐ブレーカ（ＵＢｉ）２１２の下流に設けられる全ての下位分岐ブレーカ２１３に供給できる電流となる。
この電流は分岐ブレーカ（ＵＢｉ）２１２の下流に設けられるどの下位分岐ブレーカ（ＬＢｉｊ）２１３にも供給可能であることから、下位分岐ブレーカ（ＬＢｉｊ）２１３に供給できる電流は、以下の通り。
Ｉ（ＬＢｉｊ）＋Ｉｒ
一方、下位分岐ブレーカ（ＬＢｉｊ）２１３が供給できる電流は定格電流値Ｉｍａｘ（ＬＢｉｊ）である。
従って、下位分岐ブレーカ（ＬＢｉｊ）２１３に供給できる電流は、以下の通り。
ｍｉｎ｛Ｉｍａｘ（ＬＢｉｊ）、Ｉ（ＬＢｉｊ）＋Ｉｒ｝
分岐コントロールユニット（ＣＵＵｉ）２２２は分岐ブレーカ（ＵＢｉ）２１２の下流に設けられるすべての下位分岐ブレーカ（ＬＢｉｊ）２１３についてこの値を求め、最大許容電流値Ｉｍａｘ（ＬＢｉｊ）を下位分岐コントロールユニット（ＣＵＬｉｊ）２２３に送信する。
【０１８８】
＜ステップＳ４１２＞
ｎｅ２＝０の場合、ステップＳ４１９へ進む。
ｎｅ２≠０の場合、ステップＳ４０４へ戻る。
【０１８９】
＜ステップＳ４１９＞
分岐コントロールユニット（ＣＵＵｉ）２２２は下位分岐コントロールユニット（ＣＵＬｉｊ）２２３から下位分岐ブレーカ（ＬＢｉｊ）２１３の動作状態（ＯＮ／ＯＦＦ）の情報を取得し、分岐ブレーカ（ＵＢｉ）２１２の下流に設けられる全での下位分岐ブレーカ（ＬＢｉｊ）２１３の内、ＯＮ（電力供給状態）となっている下位分岐ブレーカ（ＬＢｉｊ）２１３の台数ｍｌｂを求めメモリに記憶する。
【０１９０】
＜ステップＳ４２０＞
ｎｅ２＝０かつｍｌｂ＝０の場合、分岐ブレーカ（ＵＢｉ）２１２をＯＦＦ（電力供給停止状態）にできることを表示により知らせる。
【０１９１】
＜ステップＳ４１３＞
ステップＳ４０４に戻る。
【０１９２】
次に、下位分岐コントロールユニット２２３の手続きを説明する。
下位分岐コントロールユニット２２３の手続きは、上位ブレーカが主幹ブレーカ（ＭＢ）２１１ではなく分岐ブレーカ（ＵＢｉ）２１２であることを除き、第二実施形態にかかる分岐ブレーカ（ＵＢｉ）２１２の手続きと同じである。
図８の左から３番目の図は、下位分岐コントロールユニット２２３の手続き（Ｓ６００〜Ｓ６１３）を示す。
【０１９３】
＜ステップＳ６００＞
下位分岐コントロールユニット２２３の制御フローを開始する。
【０１９４】
＜ステップＳ６０１＞
下位分岐ブレーカ（ＬＢｉｊ）２１３を手動でＯＮ（電力供給可能状態）にする。
【０１９５】
＜ステップＳ６０２＞
分岐コントロールユニット（ＣＵＵｉ）２２２と下位分岐コントロールユニット（ＣＵＬｉｊ）２２３との通信を確立する（ステップＳ４１６に対応する）。
【０１９６】
＜ステップＳ６０３＞
下位分岐コントロールユニット（ＣＵＬｉｊ）２２３のＲＯＭに記録された下位分岐ブレーカ（ＬＢｉｊ）２１３の定格電流値Ｉｍａｘ（ＬＢｉｊ）を読み出し、分岐コントロールユニット（ＣＵＵｉ）２２２に送信する。
ＲＯＭに記録するＩｍａｘ（ＬＢｉｊ）は、下位分岐コントロールユニット（ＣＵＬｉｊ）２２３および電流計（ＬＡｉｊ）２３３の動作に必要な電流を加えた値である。
【０１９７】
＜ステップＳ６０４＞
下位分岐ブレーカ（ＬＢｉｊ）２１３に現に流れる電流値Ｉ（ＬＢｉｊ）を下位分岐ブレーカ電流値（ＬＡｉｊ）２４３で計測し、下位分岐コントロールユニット（ＣＵＬｉｊ）２２３のメモリに記憶する。
【０１９８】
＜ステップＳ６０５＞
電流値Ｉ（ＬＢｉｊ）を分岐コントロールユニット（ＣＵＵｉ）２２２に送信する（ステップＳ４１８に対応する。）。
【０１９９】
＜ステップＳ６０６＞
分岐コントロールユニット（ＣＵＵｉ）２２２から最大許容電流値Ｉｍａｘ（ＬＢｉｊ）を受信し、下位分岐コントロールユニット（ＣＵＬｉｊ）２２３のメモリに記憶する（ステップＳ４１８に対応する）。
これ以降、最大許容電流値Ｉｍａｘ（ＬＢｉｊ）を利用し、下位分岐コントロールユニット（ＣＵＬｉｊ）２２３内のＲＯＭに記憶された定格電流値Ｉｍａｘ（ＬＢｉｊ）の初期値は利用しない。
【０２００】
＜ステップＳ６０７＞
下位分岐ブレーカ（ＬＢｉｊ）２１３の動作状態（ＯＮ／ＯＦＦ）の情報を分岐コントロールユニット（ＣＵＵｉ）２２２に送信する（ステップＳ４１９に対応する）。
【０２０１】
＜ステップＳ６０８＞
下位分岐コントロールユニット（ＣＵＬｉｊ）２２３と下位分岐ブレーカ（ＬＢｉｊ）２１３配下に接続された下位負荷機器（ＬＥｉｊｋ）１１０ａの下位負荷コントロールユニット（ＣＵＥｉｊｋ）１２０ａとの通信を確立する。
ここで、ｋは負荷機器ＬＥの識別子を表す。例えば、ｋ＝１である。
下位分岐コントロールユニット（ＣＵＬｉｊ）２２３が通信を確立できた下位負荷コントロールユニット（ＣＵＥｉｊｋ）１２０ａの台数を下位分岐ブレーカ（ＬＢｉｊ）２１３の下流に設けられるＬＥの台数ｎｅ３としてメモリに記憶する。
【０２０２】
＜ステップＳ６０９＞
下位負荷コントロールユニット（ＣＵＥｉｊｋ）１２０ａから最大消費電流値Ｉｍａｘ（ＬＥｉｊｋ）を取得し、メモリに記憶する。
【０２０３】
＜ステップＳ６１０＞
起動可能な下位負荷機器本体（ＬＥｉｊｋ）１１０ａの台数ｎｅ４に０を設定する。
【０２０４】
＜ステップＳ６１１＞
ｋを１からｎｅ３までインクリメントしながら以下の処理を行う。
Ｉｍａｘ（ＬＢｉｊ）とΣＩｍａｘ（ＬＥｉｊｋ）を比較する。
Ｉｍａｘ（ＬＢｉｊ）≧ΣＩｍａｘ（ＬＥｉｊｋ）の場合はｎｅ４を＋１し、「起動ＯＫ」の情報を下位負荷コントロールユニット（ＣＵＥｉｊｋ）１２０ａに送信する。
Ｉｍａｘ（ＵＢｉ）＜ΣＩｍａｘ（ＬＥｉｊｋ）の場合は「起動ＮＧ信号」を下位負荷コントロールユニット（ＣＵＥｉｊｋ）１２０ａに送信する。
【０２０５】
＜ステップＳ６１２＞
ｎｅ４＝０の場合、下位分岐ブレーカ（ＬＢｉｊ）２１３をＯＦＦ（電力供給停止状態）にできることを表示により知らせる。
【０２０６】
＜ステップＳ６１１３＞
ステップＳ６０４へ戻る。
【０２０７】
負荷コントロールユニット１２０の手続きは、第二の実施形態にかかる負荷コンットロールユニットの制御ロジックと同じなので、説明を省略する。
図８の右の上側の図は、負荷コントロールユニット１２０の制御ロジック（Ｓ５００〜Ｓ５０９）を示す。
【０２０８】
次に、下位負荷コントロールユニット１２０ａの手続きを、説明する。
下位負荷コントロールユニット１２０ａの制御ロジックは、上位ブレーカが分岐ブレーカ（ＵＢｉ）２１２ではなく下位分岐ブレーカ（ＬＢｉｊ）２１３であるこことを除いて、第二の実施形態にかかる負荷コンットロールユニットの制御ロジックと同じである。
図８の右の下側の図は、下位負荷コントロールユニット１２０ａの制御ロジック（Ｓ７００〜Ｓ７０９）を示す。
【０２０９】
＜ステップＳ７００＞
下位負荷コントロールユニットの制御フローを開始する。
【０２１０】
＜ステップＳ７０１＞
下位負荷機器本体（ＬＥｉｊｋ）１１０ａを手動で下位分岐ブレーカ（ＬＢｉｊ）２１３の下流に設けられるコンセントに手動で接続する。
【０２１１】
＜ステップＳ７０２＞
下位分岐コントロールユニット（ＣＵＬｉｊ）２２３と下位負荷コントロールユニット（ＣＵＥｉｊｋ）１２０ａの通信を確立する。（ステップＳ６０８に対応する）。
【０２１２】
＜ステップＳ７０３＞
下位負荷コントロールユニット（ＣＵＥｉｊｋ）１２０ａ内のＲＯＭに記録されたＬＥｉｊｋの定格電流値Ｉｍａｘ（ＬＥｉｊｋ）を読み出し、下位分岐コントロールユニット（ＣＵＬｉｊ）２２３に送信する（ステップＳ６０９に対応する）。
ＲＯＭに記録するＩｍａｘ（ＬＥｉｊｋ）は、下位負荷機器本体（ＬＥｉｊｋ）１１０ａの動作に必要な最大電流に下位負荷コントロールユニット（ＣＵＥｉｊｋ）１２０ａの動作に必要な電流を加えた値である。
【０２１３】
＜ステップＳ７０４＞
下位分岐コントロールユニット（ＣＵＬｉｊ）２２３から起動可否の情報を受信する（ステップＳ６１１に対応する）。
【０２１４】
＜ステップＳ７０５＞
「起動ＯＫ信号」を受信するとき、下位負荷機器本体（ＬＥｉｊｋ）１１０ａを起動できることを表示により知らせる。ステップＳ７０７へ進む。
【０２１５】
＜ステップＳ７０６＞
「起動ＮＧ信号」を受信するとき、下位負荷機器本体（ＬＥｉｊｋ）１１０ａを起動できないことを表示により知らせる。ステップＳ７０４へ戻る。
【０２１６】
＜ステップＳ７０７＞
下位負荷機器本体（ＬＥｉｊｋ）１１０ａを手動で起動する。
【０２１７】
＜ステップＳ７０８＞
下位負荷機器本体（ＬＥｉｊｋ）１１０ａを手動で停止する。
【０２１８】
＜ステップＳ７０９＞
下位負荷機器本体（ＬＥｉｊｋ）１１０ａのコンセントを手動で引く抜く。
【０２１９】
上述のとおり、本発明の実施実施形態に係る負荷機器と電源機器を用いれば、以下の効果を有する。
負荷機器本体１１０が運転モードを機能モードと待機モードとのうちのどちらか一方にすることをでき、負荷コントロールユニット１２０が電源回路２１０に導通したときに電源コントローユニット２２０に機能モードでの最大の消費電力量を送信し、電源コントロールユニット２２０が負荷コントロールユニット１２０に起動ＯＫ信号を送信するときに負荷機器本体１１０を機能モードにすることを許可し、電源コントロールユニット２２０が起動ＮＧ信号を送信するときに負荷機器本体１１０を待機モードにすることを要求する様にしたので、電源コントロールユニット２２０が各々の負荷機器の各々の最大消費電力量を勘案して負荷機器１００を機能モードまたは待機モードにできる。
負荷機器本体１１０が運転モードを機能モードと待機モードとのうちのどちらか一方にすることをでき、負荷コントロールユニット１２０が電源回路２１０に導通したときに電源コントローユニット２２０に機能モードでの最大の消費電力量を送信し、電源コントロールユニット２２０が負荷コントロールユニット１２０に起動ＯＫ信号を送信するときに負荷機器本体１１０を機能モードにし、電源コントロールユニット２２０が起動ＮＧ信号を送信するときに負荷機器本体１１０を待機モードにする様にしたので、電源コントロールユニット２２０が各々の負荷機器１００の各々の最大消費電力量を勘案して負荷機器を機能モードまたは待機モードにできる。
【０２２０】
以上、説明したように本発明に係る電源機器は、その構成により、以下の効果を有する。
負荷機器１００が運転モードを機能モードと待機モードとのうちのどちらか一方にすることをでき、負荷コントロールユニット１２０が電源回路２１０に導通したときに電源コントロールユニット２２０に機能モードでの最大の消費電力量を送信し、電源コントロールユニット２２０が特定の負荷機器の一群に同時に給電できる最大許容電力値を設定し、一群の負荷機器１００の最大消費電力と最大許容電力とを勘案して最大許容電力に余力がある範囲で一群の負荷機器１００のうちのいくつかの負荷機器１００に起動ＯＫ信号を送信して負荷機器本体１１０を待機モードにすることを要求し、その他の負荷機器１００に起動ＮＧ信号を送信して負荷機器本体１１０を待機モードにすることを要求する様にしたので、電源機器２００の許容電力を越えない範囲で、負荷機器１００の機能を発揮させることをできる。
負荷機器１００が運転モードを機能モードと待機モードとのうちのどちらか一方にすることをでき、負荷コントロールユニット１２０が電源回路２１０に導通したときに電源コントロールユニット２２０に機能モードでの最大の消費電力量を送信し、電源コントロールユニット２２０が特定の負荷機器１００の一群に同時に給電できる最大許容電力値を設定し、一群の負荷機器１００の最大消費電力と最大許容電力とを勘案して最大許容電力に余力がある範囲で一群の負荷機器１００のうちのいくつかの負荷機器１００に起動ＯＫ信号を送信して負荷機器本体１１０を待機モードにし、その他の負荷機器１００に起動ＮＧ信号を送信して負荷機器本体１１０を待機モードにする様にしたので、電源機器２００の許容電力を越えない範囲で、負荷機器１００の機能を発揮させることをできる。
また、電源機器２００の主幹ブレーカ２１１の下流に分岐ブレーカ２１２が設けられ、電源コントロールユニット２２０が、特定の分岐ブレーカ２１２の下流に設けられた特定負荷機器１００の一群に対して、特定分岐ブレーカ２１２の定格電力値と現に流れる電力値と主幹ブレーカ２１１の定格電力値と現に流れる電力値とを勘案して起動ＯＫまたは起動ＮＧを判断するための基準である最大許容電力値を設定する様にしたので、主幹ブレーカ２１１、特定分岐ブレーカ２１２の定格電力値を越えない範囲で、特定負荷機器１００の機能を発揮させることをできる。
また、電源機器２００の主幹ブレーカ２１１の下流に分岐ブレーカ２１２を設け、分岐ブレーカ２１２の下流に下位分岐ブレーカ２１３を設け、電源コントロールユニット２２０が、特定の分岐ブレーカ２１３の下流に設けられる下位負荷機器１１０ａの一群に対して、分岐ブレーカ２１２の定格電力値と機能を発揮している負荷機器１００の最大消費電力と下位分岐ブレーカ２１３の定格電力値と現に流れる電力値とを勘案して起動ＯＫまたは起動ＮＧを判断するための基準である最大許容電力値を設定する様にしたので、主幹ブレーカ２１１、特定分岐ブレーカ２１２、下位分岐ブレーカ２１３の定格電力値を越えない範囲で、特定下位負荷機器１００ａの機能を発揮させることをできる。
また、電源コントロールユニット２２０が負荷コントロールユニット１２０を認識した順番に応じて複数の負荷機器１００に優先順位を付ける様にしたので、電源コントロールユニット２２０が負荷コントロールユニット１２０を認識した順番に応じて起動ＯＫ信号または起動ＮＧ信号を送信できる。
また、例外として、機能モードから待機モードに変えたときに機能低下以外の不都合を生じない負荷機器１００の優先順位を下げる様にしたので、電源機器２００に余裕がなくなってきたときに待機モードにおいて機能低下以外の不都合の生じない負荷機器１００を待機モードにして、その他の負荷機器１００に電力を融通できる。
また、主幹ブレーカ２１１に主幹コントロールユニット２２１を対応させ、分岐ブレーカ２１２に分岐コントロールユニット２２２を各々に対応させ、主幹コントロールユニット２２１が下流の分岐ブレーカ２１２の一群に対して最大許容電力値を設定し、分岐コントロールユニット２２２が、対応する分岐ブレーカ２１２の下流に直接に設けられる負荷機器に起動ＯＫ信号または起動ＮＧ信号を送信する様にしたので、互いに対応する分岐ブレーカ２１２と分岐コントロールユニット２２２とを一単位として電源機器２００の拡張または縮小をできる。
また、主幹ブレーカ２１１に主幹コントロールユニット２２１を対応させ、分岐ブレーカ２１２に分岐コントロールユニット２２２を各々に対応させ、下位分岐ブレーカ２１３に下位分岐コントロールユニット２２３を対応させ、主幹コントロールユニット２２１が下流の分岐ブレーカ２１２の一群に対して最大許容電力値を設定し、分岐コントロールユニット２２２が下位分岐コントロールユニット２２３の下流に設けられる負荷機器１００ａの一群に対して下位最大許容電力量を設定し、分岐コントロールユニット２２２が、対応する分岐ブレーカ２１２の下流に直接に設けられる負荷機器１００に起動ＯＫ信号または起動ＮＧ信号を送信し、下位分岐コントロールユニット２２３が、対応する下位分岐ブレーカ２１３の下流に直接設けられる負荷機器１００ａに起動ＯＫ信号または起動ＮＧ信号を送信する様にしたので、互いに対応する分岐ブレーカ２１２と分岐コントロールユニット２２２とを一単位として電源機器の拡張または縮小をできる。
【０２２１】
本発明は以上に述べた実施形態に限られるものではなく、発明の要旨を逸脱しない範囲で各種の変更が可能である。
【先行技術文献】
【特許文献】
【０２２２】
【特許文献１】特開２００２−１５９１３８号
【特許文献２】特開２００５−１２８９２号
【特許文献３】特開２０１０−１６６６９０号
【特許文献４】特開２００７−１８９８７８号
【特許文献５】特開２００５−３５４５７５号
【符号の説明】
【０２２３】
１００  負荷機器
１００ａ  下位負荷機器
１１０  負荷機器本体（ＬＥ１１、ＬＥ２１）
１１０ａ  下位負荷機器本体（ＬＵＥ２１１）
１２０  負荷コントロールユニット（ＣＵＥ１１、ＣＵＥ２１）
１２０ａ  下位負荷コントロールユニット（ＣＵＥ２１１）
２００  電源機器
２１０  電源回路
２１１  主幹ブレーカ（ＭＢ）
２１２  分岐ブレーカ（ＵＢ１、ＵＢ２）
２１３  下位分岐ブレーカ（ＬＢ２１）
２２０  電源コントロールユニット
２２１  主幹コントロールユニット（ＣＵＭ）
２２２  分岐コントロールユニット（ＣＵＵ１、ＣＵＵ２）
２２３  下位分岐コントロールユニット（ＣＵＬ２１）
２３０  通信手段
２４０  電流計
２４１  主幹ブレーカ電流計（ＭＡ）
２４２  分岐ブレーカ電流計（ＵＡ１、ＵＡ２）
２４３  下位分岐ブレーカ電流計（ＬＡ２１）
【図１】
0005774359.tif 000002
【図２】
0005774359.tif 000003
【図３】
0005774359.tif 000004
【図４】
0005774359.tif 000005
【図５】
0005774359.tif 000006
【図６】
0005774359.tif 000007
【図７】
0005774359.tif 000008
【図８】
0005774359.tif 000009